(57)【要約】【課題】  新規な発想に基づき、吸引マッサージ効果に加えて物理的な振動による大きなマッサージ効果を可能としたマッサージノズル及びこれを用いたマッサージ装置を提供することを目的とする。【解決手段】  室内に旋回流を形成するように設けられた入水口と、前記旋回流を吐水し負圧領域を形成するように設けられた吐水口と、を有する旋回室と、少なくとも一部が前記旋回室の中に挿入され、前記負圧領域を外部に作用させる開口を有する可動子であって、前記旋回室の中に挿入された前記一部が前記吐水口よりも大なる外寸の第１の部分を有する可動子と、を備えたことを特徴とするマッサージノズルを提供する。【選択図】  図１ 
2005245988.tif 000002
【特許請求の範囲】
【請求項１】
室内に旋回流を形成するように設けられた入水口と、前記旋回流を吐水し負圧領域を形成するように設けられた吐水口と、を有する旋回室と、
少なくとも一部が前記旋回室の中に挿入され、前記負圧領域を外部に作用させる開口を有する可動子であって、前記旋回室の中に挿入された前記一部が前記吐水口よりも大なる外寸の第１の部分を有する可動子と、
を備えたことを特徴とするマッサージノズル。
【請求項２】
前記可動子は、前記第１の部分が前記吐水口の近傍の旋回室の内壁に当接した状態において、前記吐水口から外側に突出した部分を有することを特徴とする請求項１記載のマッサージノズル。
【請求項３】
前記外側に突出した部分は、前記吐水口よりも大なる外寸の第２の部分を有することを特徴とする請求項２記載のマッサージノズル。
【請求項４】
室内に旋回流を形成するように設けられた入水口と、前記旋回流を吐水し負圧領域を形成するように設けられた吐水口と、を有する旋回室と、
前記吐水口よりも突出し、前記吐水口よりも大なる内径を有する略筒状のガイド部と、
前記ガイド部の内壁から前記旋回流の旋回軸の方向に向けて突出した突出部と、
少なくとも一部が前記ガイド部の中に挿入され、前記負圧領域を外部に作用させる開口を有する可動子であって、前記ガイド部の中に挿入された前記一部が前記突出部に当接可能なストッパを有する可動子と、
を備えたことを特徴とするマッサージノズル。
【請求項５】
前記突出部は、略円環状に設けられ、複数の散水孔を有し、
前記可動子は、その中心軸が前記旋回室の中心軸に対して傾斜可能とされたことを特徴とする請求項４記載のマッサージノズル。
【請求項６】
前記可動子は、前記ストッパと前記突出部とが当接した状態において、前記ガイド部の外側に突出した部分を有することを特徴とする請求項４または５に記載のマッサージノズル。
【請求項７】
室内に旋回流を形成するように設けられた入水口と、前記旋回流を吐水し負圧領域を形成するように設けられた吐水口と、を有する旋回室と、
前記吐水口の周囲に設けられ、前記吐水口よりも突出した複数の突起と、
前記複数の突起のそれぞれから前記旋回流の旋回軸の方向に向けて突出した突出部と、
少なくとも一部が前記複数の突起と前記吐水口との間に挿入され、前記負圧領域を外部に作用させる開口を有する可動子であって、前記複数の突起と前記吐水口との間に挿入された前記一部が前記突出部に当接可能なストッパを有する可動子と、
を備えたことを特徴とするマッサージノズル。
【請求項８】
前記可動子は、前記ストッパと前記突出部とが当接した状態において、前記複数の突起よりも突出した部分を有することを特徴とする請求項７記載のマッサージノズル。
【請求項９】
前記可動子は、前記開口を内側に有する略筒状のリング部と、前記リング部の外周壁から突出したストッパと、を有することを特徴とする請求項１〜８のいずれか１つに記載のマッサージノズル。
【請求項１０】
送水手段と、
請求項１〜９のいずれか１つに記載のマッサージノズルと、
を備え、
前記送水手段から前記マッサージノズルの前記入水口を介して前記旋回室に水を供給し、使用者が前記マッサージノズルの前記吐水口に形成される負圧部を利用した吸引マッサージを実施可能としたことを特徴とするマッサージ装置。
【発明の詳細な説明】
【技術分野】
【０００１】
本発明は、マッサージノズル及びマッサージ装置に関し、特に、水の旋回流により負圧を生じさせ身体に吸引圧を作用させることができるマッサージノズル及びマッサージ装置に関する。
【背景技術】
【０００２】
美容や健康増進を目的として身体の皮膚表面をマッサージし、血液の循環を活性化させるマッサージ器は広く用いられている。このような従来のマッサージ器としては、例えば電動式の肩たたき器や腰もみ器、減圧状態にした吸入孔を身体表面に吸着させて使う器具などが知られている。
【０００３】
水を用いたマッサージ装置としては、一端を閉じ、他端を開放状とした円筒体内にその内周接線方向に加圧液体を導入する開口と、上記閉塞端に円筒体の中心位置で外気を導入する開口とを設け、さらに、円筒体の外側に案内筒を設けて吐水口近傍で吸引することができるマッサージ器が考案されている（例えば、特許文献１参照）。この発明では、吐出された水が案内筒により方向を反転して流れることにより、吐水口近傍の負圧部が拡大した状態で身体を吸引することができる。
【０００４】
また、拡開したガイド部の前部側に開口された流出部を設け、吐水を流出させる吸引洗浄器が開示されている（例えば、特許文献２）。  
またさらに、旋回流による吸引作用を利用したマッサージ洗浄器において、気水分離板を設け、空気中での使用を可能としたマッサージ洗浄器が開示されている（例えば、特許文献３）。
【特許文献１】実開平４−５５３３７号公報
【特許文献２】特開２００３−３８３８２号公報
【特許文献３】特開平８−１９６５９６号公報
【発明の開示】
【発明が解決しようとする課題】
【０００５】
人体に対して血行促進や老廃物の除去などの各種の生体効果や、リラクゼーションなどの心理効果を与えるマッサージの方法としては、被処理部位を吸引により変形させる吸引マッサージ方法の他にも、「たたく」あるいは「もむ」というような物理的な振動を伴うマッサージ方法が効果的である。
【０００６】
しかし、上述したような従来のマッサージ装置などの場合、吸引効果のみに力点が置かれ、物理的な振動を積極的に生じさせることによるマッサージ効果の増進については、何ら考慮されていなかった。
【０００７】
本発明はかかる課題の認識に基づいてなされたものであり、その目的は、新規な発想に基づき、吸引マッサージ効果に加えて物理的な振動による大きなマッサージ効果を可能としたマッサージノズル及びこれを用いたマッサージ装置を提供することにある。
【課題を解決するための手段】
【０００８】
上記目的を達成するため、本発明の第１のマッサージノズルは、室内に旋回流を形成するように設けられた入水口と、前記旋回流を吐水し負圧領域を形成するように設けられた吐水口と、を有する旋回室と、少なくとも一部が前記旋回室の中に挿入され、前記負圧領域を外部に作用させる開口を有する可動子であって、前記旋回室の中に挿入された前記一部が前記吐水口よりも大なる外寸の第１の部分を有する可動子と、を備えたことを特徴とする。
【０００９】
貫通孔を設けた可動子を設けることにより、旋回流によって形成された負圧領域を人体の被処理部位に対して確実に作用させることができる。そして、可動子が旋回流の作用によって偏心した状態あるいは傾斜した状態で回転することにより、人体の被処理部位に対して物理的な振動を与えることができる。すなわち、可動子が被処理部位に衝突することで衝突的な刺激を与え、さらに可動子が回転することにより振動的な刺激を与える。特に、マッサージノズルの中に吸引されている被処理部位に対して可動子が衝突的な刺激を与えながらその周囲を回転することにより、「揉みほぐし効果」が顕著に増大する。これは、本発明者が実施した官能試験評価においても、数多くの被験者が実感した効果である。その結果として、旋回流による吸引効果と振動によるマッサージ効果を相乗させて高い美容効果や各種の生体効果を得ることが可能となる。さらにまた、可動子の少なくとも一部の外寸を吐水口よりも大とすることにより、可動子が旋回室から飛び出すことを防ぐことができ、扱いやすくて動作の信頼性の高いマッサージノズルを提供できる。
【００１０】
ここで、前記可動子は、前記第１の部分が前記吐水口の近傍の旋回室の内壁に当接した状態において、前記吐水口から外側に突出した部分を有するものとすれば、可動子を被処理部位に確実にあてることにより可動子のバランスを崩して歳差運動（みそすり運動）やそれに類似した運動を容易に引き起こすことができる。この時、可動子は吐水流により被処理部位に押しつけられた状態となるので、揺さぶりなどによる振動マッサージ効果をさらに確実に得ることができる。また、可動子を突出させることにより、被処理部位に当接する部分において振動のストロークをより大きくすることも可能となる。
【００１１】
またさらに、前記外側に突出した部分は、前記吐水口よりも大なる外寸の第２の部分を有するものとすれば、可動子が旋回室の中に没入することを防ぐことができ、より高い振動効果を確実に与えることができる。
【００１２】
また、本発明の第２のマッサージノズルは、室内に旋回流を形成するように設けられた入水口と、前記旋回流を吐水し負圧領域を形成するように設けられた吐水口と、を有する旋回室と、前記吐水口よりも突出し、前記吐水口よりも大なる内径を有する略筒状のガイド部と、前記ガイド部の内壁から前記旋回流の旋回軸の方向に向けて突出した突出部と、少なくとも一部が前記ガイド部の中に挿入され、前記負圧領域を外部に作用させる開口を有する可動子であって、前記ガイド部の中に挿入された前記一部が前記突出部に当接可能なストッパを有する可動子と、を備えたことを特徴とする。
【００１３】
このマッサージノズルにおいても、貫通孔を設けた可動子を設けることにより、旋回流によって形成された負圧領域を人体の被処理部位に対して確実に作用させることができる。そして、可動子が旋回流の作用によって歳差運動（みそすり運動）やそれに類似した運動をすることにより、人体の被処理部位に対して物理的な振動を与えることができる。その結果として、旋回流による吸引効果と振動によるマッサージ効果を相乗させて高い美容効果や各種の生体効果を得ることが可能となる。
【００１４】
また、吐水口よりも大なる内径のガイド部を設けることにより、人体の被処理部位に対する吸引面積を拡大させてより効果的な吸引振動マッサージが可能となる。同時に、マッサージノズル本体をコンパクトにでき、取り扱いを容易にできる。さらに、可動子の動作の振幅を大きくすることにより、「揉みほぐし効果」などを高めることができる。また、旋回流の形成を損なうことなく、可動子の傾斜角度や移動範囲や運動周期などを所望の範囲に設定することができ、良好な振動効果をより確実に実現できる。さらにまた、可動子のストッパとガイド部の突出部とを当接させることにより、可動子がガイド部から飛び出すことを防ぐことができ、扱いやすくて動作の信頼性の高いマッサージノズルを提供できる。
【００１５】
ここで、前記突出部は、略円環状に設けられ、複数の散水孔を有し、前記可動子は、その中心軸が前記旋回室の中心軸に対して傾斜可能とされたものとすることができる。突出部を円環状に設けることにより、可動子をより円滑に回転させることができる。また、散水孔を設けることにより、散水孔が有する整流作用によって、開放状態においてシャワー状の吐水を得ることができ、吐水の飛散を防止できるとともに、可動子の「みそすり運動」やそれに類似した運動によって振動的な刺激感が得られる。
【００１６】
また、前記可動子は、前記ストッパと前記突出部とが当接した状態において、前記ガイド部の外側に突出した部分を有するものとすれば、可動子を被処理部位に確実にあてることにより可動子のバランスを崩して歳差運動（みそすり運動）やそれに類似した運動を容易に引き起こすことができる。この時、可動子は吐水流により被処理部位に押しつけられた状態となるので、揺さぶりなどによる振動マッサージ効果をさらに確実に得ることができる。また、可動子を突出させることにより、被処理部位に当接する部分において振動のストロークをより大きくすることも可能となる。
【００１７】
一方、本発明の第３のマッサージノズルは、室内に旋回流を形成するように設けられた入水口と、前記旋回流を吐水し負圧領域を形成するように設けられた吐水口と、を有する旋回室と、前記吐水口の周囲に設けられ、前記吐水口よりも突出した複数の突起と、前記複数の突起のそれぞれから前記旋回流の旋回軸の方向に向けて突出した突出部と、少なくとも一部が前記複数の突起と前記吐水口との間に挿入され、前記負圧領域を外部に作用させる開口を有する可動子であって、前記複数の突起と前記吐水口との間に挿入された前記一部が前記突出部に当接可能なストッパを有する可動子と、を備えたことを特徴とする。
【００１８】
このマッサージノズルにおいても、貫通孔を設けた可動子を設けることにより、旋回流によって形成された負圧領域を人体の被処理部位に対して確実に作用させることができる。そして、可動子が旋回流の作用によって歳差運動（みそすり運動）やそれに類似した運動をすることにより、人体の被処理部位に対して物理的な振動を与えることができる。その結果として、旋回流による吸引効果と振動によるマッサージ効果を相乗させて高い美容効果や各種の生体効果を得ることが可能となる。また、複数の突起が人体の被処理部位に接触することにより押圧のマッサージ効果も得られる。さらにまた、可動子のストッパと突起の突出部とを当接させることにより、可動子が突起から飛び出すことを防ぐことができ、扱いやすくて動作の信頼性の高いマッサージノズルを提供できる。
【００１９】
ここで、前記可動子は、前記ストッパと前記突出部とが当接した状態において、前記複数の突起よりも突出した部分を有するものとすれば、可動子を被処理部位に確実にあてることにより可動子のバランスを崩して歳差運動（みそすり運動）やそれに類似した運動を容易に引き起こすことができる。この時、可動子は吐水流により被処理部位に押しつけられた状態となるので、揺さぶりなどによる振動マッサージ効果をさらに確実に得ることができる。また、可動子を突出させることにより、被処理部位に当接する部分において振動のストロークをより大きくすることも可能となる。
【００２０】
また、前記可動子は、前記開口を内側に有する略筒状のリング部と、前記リング部の外周壁から突出したストッパと、を有するものとすれば、リング部により確実な振動効果を被処理部位に与えることができ、ストッパにより動作の信頼性も確保できる。
【００２１】
一方、本発明のマッサージ装置は、送水手段と、上記のいずれかのマッサージノズルと、を備え、前記送水手段から前記マッサージノズルの前記入水口を介して前記旋回室に水を供給し、使用者が前記マッサージノズルの前記吐水口に形成される負圧部を利用した吸引マッサージを実施可能としたことを特徴とする。
【００２２】
上記構成によれば、吸引効果に加えて物理的な振動によるマッサージ効果を相乗させることができ、極めて高い効果のマッサージが可能なマッサージ装置を提供することができる。
【発明の効果】
【００２３】
本発明によれば、吸引効果に加えて物理的な振動によるマッサージ効果を相乗させることができるマッサージノズル及びこれを用いたマッサージ装置を提供することができる。
【発明を実施するための最良の形態】
【００２４】
以下、図面を参照しつつ本発明の実施の形態について説明する。  
図１乃至図４は、本発明の実施の形態にかかるマッサージノズルを表す模式図である。すなわち、図１は、マッサージノズル１の斜視図であり、図２は、正面図、図３は、図２のＡ−Ａ線断面図、図４は、図３のＢ−Ｂ線端面図である。  
本実施形態のマッサージノズル１は、旋回部２と接続部４とを有する。旋回部２は、周側壁８Ｗに取り囲まれ断面が略円型である旋回室８を有する。旋回室８は、その内径が徐々に狭められる絞り部８Ｎを有し、その先端が開放されて吐水口７を形成している。  
周側壁８Ｗには、入水部６が設けられている。図４に表したように、入水部６から旋回室８の周側壁８Ｗの略接線方向に水が導入され、周側壁８Ｗに沿った旋回流ＣＦを形成する。接続部４には、入水部６へ連通するよう開口された導入路５が設けられている。  
旋回室８において旋回流ＣＦを効率的に形成するためには、入水部６は旋回室の周側壁８Ｗの接線方向に開口していることが望ましい。ただし、入水部６が、周側壁８Ｗに対して正確に接線方向に開口しておらず、その開口方向あるいは開口位置に接線方向からの「ずれ」があるような場合でも、旋回流ＣＦが形成されればよい。
【００２５】
ここで、「入水部６」は、図４に表したように、旋回室８へ導入される水流の導入方向を実質的に決定する入水路６Ａと、その入水路６Ａの旋回室８における開口端である入水口６Ｂと、を含む。本具体例のマッサージノズル１の場合には、旋回室８へ導入される水流の導入方向は、矢印Ｓの方向である。従って、入水路６Ａは、矢印Ｓの方向に設けられた水路に対応する。また、入水口６Ｂは、この水路と旋回室８との境界に対応する。  
接続部４は、例えば一般のシャワーヘッドのようにネジ等を設けておけば、ホースなどの水配管に連結することができ便利である。
【００２６】
そして、本実施形態のマッサージノズル１においては、旋回室８に、略円筒状の可動子２０が挿入されている。後に詳述するように、可動子２０が旋回流ＣＦによって「みそすり運動（歳差運動）」やそれに類似した運動をすることにより、物理的な振動による高いマッサージ効果を得ることができる。
【００２７】
図５は、可動子２０を表す斜視図である。すなわち、本具体例の可動子２０は、円筒状のリング部２０ａと、リング部２０ａの外周壁から突出したストッパ２０ｃと、を有する。リング部２０ａは、内部に開口２０ｂを有する。そして、図３などに表したように、リング部２０ａは、吐水口７から突出可能なように、吐水口７の開口径よりもやや小さく形成されている。一方、ストッパ２０ｃの先端まで含めた可動子２０の外周サイズは吐水口７よりも大きく、ストッパ２０ｃが絞り部８Ｎの内壁に当接することによって、可動子２０が吐水口７から飛び出さないようにされている。
【００２８】
また、可動子２０は、図３に表したように、ストッパ２０ｃが絞り部８Ｎの内壁に当接した状態において、リング部２０ａの先端が吐水口７から外側に突出した部分を有するものとしてもよく、または、この状態において、リング部２０ａの先端が吐水口７から突出しないようにしてもよい。後に説明するように、可動子２０が突出していなくても、吸引された被処理部位に可動子２０をあてることによる振動効果などの各種の効果を得ることが可能である。
【００２９】
また、図３に表したように、ストッパ２０ｃの外寸Ｘ３を吐水口７の径Ｘ１よりも大なるものとすれば、可動子２０が吐水口７から外に外れることを防止でき、取り扱いが容易となる。なお、ストッパ２０ｃは、図５に例示した如く、中心軸２０Ｚに対して略対称状に設けても良いが、対称に設けなくとも、可動子２０が吐水口７から外に外れなければよい。
【００３０】
次に、本実施形態のマッサージノズル１の動作について説明する。  
まず、マッサージノズル１が有する吸引作用について説明し、しかる後に、可動子２０の動作について説明する。
【００３１】
図６は、本実施形態のマッサージノズル１に水を供給した状態を表す模式断面図である。  また、図７は、このマッサージノズル１によってマッサージする状態を表す模式断面図である。なお、これらの図においては、簡単のために、可動子２０を省略した。
【００３２】
図示しない送水手段から送られた水は、接続部４内の導入路５を通り、旋回部２内の入水部６から旋回室８へと導入される。この際に、入水部６は旋回室８の接線方向に開口されているので、旋回室８内に導入された水は、旋回流ＣＦを形成する。この旋回流ＣＦは、周側壁８Ｗに沿って旋回しながら絞り部８Ｎにおいて流速を増加しつつ吐水口７に達し、外部に吐水される。
【００３３】
この時、旋回流ＣＦがもつ遠心力によって、旋回室８の中心付近に負圧部が生じるため、吐水口７の中心軸に沿ってマッサージノズル１の外から旋回室８の中へ引き込もうとする力Ｆ（以下、「旋回吸引力」と呼ぶ。）が生じる。
【００３４】
このようなマッサージノズル１に人体の被処理部位２１０を接近させると、図７に表したように、旋回流ＣＦにより生ずる旋回吸引力Ｆが作用する。その結果として、被処理部位２１０を吸引力により変形させ、高い吸引マッサージ効果を得ることができる。またこの時、被処理部位２１０と吐水口７との間には、吐水された水流Ｄ１による均質な水膜が形成される。被処理部位２１０は、水流Ｄ１により形成される水膜によってドーナツ状に押圧され、中心部は強い吸引力Ｆにより吐水口７の中に吸引され、立体的に変形して効果的な吸引マッサージを受ける。つまり、被処理部位２１０は、周辺における押圧力とその中央における強い吸引力とを同時に受ける。またさらに、旋回流ＣＦの吐水による水流Ｄ１により、被処理部位２１０には「ねじり」の効果が与えられる。これにより、被処理部位２１０は立体的に変形し、且つ旋回流ＣＦによる「揉みほぐし」の作用を受ける。
【００３５】
また、吐水口７と被処理部位２１０との間には、水流Ｄ１により形成される水膜が常に介在しているので、マッサージノズル１を被処理部位２１０にあてがって吸引させた状態のまま、マッサージノズル１を滑らかに移動させることができ、被処理部位２１０を広範囲に吸引マッサージすることができる。
【００３６】
以上、本実施形態のマッサージノズル１が有する吸引作用についてまず説明した。  
次に、可動子２０の動作について説明する。  
可動子２０は、旋回流ＣＦの作用を受けて、歳差運動（みそすり運動）やそれに類似した運動をする。以下、まず歳差運動（みそすり運動）について説明する。
【００３７】
図８は、可動子２０が設けられた本発明のマッサージノズル１の動作を説明するための断面図である。すなわち、可動子２０が設けられている場合、旋回室８に水を導入すると、旋回流ＣＦの圧力によって、可動子２０は図示した如く吐水口７の方向に押しつけられ、ストッパ２０ｃが絞り部８Ｎに当接した状態となる。そして、図６に関して前述したように、入水部６から導入された水は、旋回室８において旋回流ＣＦを形成する。この旋回流ＣＦは、絞り部８Ｎの内壁と可動子２０の外壁との間の隙間を介して吐水口７から吐水される。また、旋回流ＣＦの一部は、絞り部８Ｎを介して可動子２０の開口２０ｂから漏出する。そして、旋回室８に形成される負圧領域によって、可動子２０の開口２０ｂを介した旋回吸引力Ｆが生ずる。
【００３８】
図９及び図１０は、マッサージノズル１を被処理部位２１０にあてがった状態での可動子２０の動作を説明するための模式断面図である。  
マッサージノズル１を人体の被処理部位２１０に接近させると、その一部が吸引力Ｆによって旋回室８の中に引き込まれる。この時に、被処理部位２１０は可動子２０を旋回室８の中に押し込む。旋回室８の中に押し込められた可動子２０は、その形状やサイズなどの構造パラメータを適宜調節すると、吐水口７に対して平行な位置関係を維持せず、図示した如く、斜めに傾斜した状態で回転動作をする。すなわち、可動子２０は、その中心軸２０ｚを中心とした自転運動をするとともに、中心軸２０ｚが旋回流ＣＦの旋回軸Ｚに対して傾斜した状態を維持しつつ、旋回軸Ｚを中心として回転する。この運動は、コマの「みそすり運動（歳差運動）」と同様の運動であるといえる。
【００３９】
可動子２０がこのような運動をすると、被処理部位２１０に対して極めて効果的なマッサージ効果や生体効果を与えることができる。すなわち、図９及び図１０に表したように、可動子２０が傾斜してその先端が被処理部位の一部２１０ａに衝突することにより、衝突的な刺激を与えることができる。さらに、可動子２０がこのように傾斜した姿勢のまま回転することにより、被処理部位２１０の周囲に振動的な刺激を与えることができる。その結果として、被処理部位２１０に対する「揉みほぐし効果」を顕著に増強できる。
【００４０】
図１１乃至図１３は、吸引マッサージ中の可動子の動作を表す模式図である。  
すなわち、図１１（ａ）乃至（ｄ）は、吐水口７の正面から眺めた図、同図（ｅ）乃至（ｈ）は、吐水口７に対して側面から眺めた透視図である。  
また、図１２は、吐水口７を斜め上方から眺めた斜視図である。  
さらに、図１３は、吐水口７の裏面側から眺めた分解斜視図である。
【００４１】
これらの図面に表したように、可動子２０は、被処理部位によって旋回室８に中に押し込まれた状態において、旋回流ＣＦの作用により、傾斜した状態で「みそすり運動（歳差運動）」をする。すなわち、可動子２０は、その中心軸（図５、図９及び図１０に表した）２０ｚを中心とした自転運動をするとともに、その自転軸すなわち中心軸２０ｚの方向が旋回軸Ｚを中心として回転することにより変化する。
【００４２】
可動子２０がこのような運動をする理由は、以下のように説明できる。  
図１４は、可動子２０の運動を説明するための模式断面図である。  
すなわち、図１４（ａ）は、図８と同様に、開放吐水状態を表す。すなわち、吐水口６から旋回室８に水を導入して旋回流が形成されている状態を表す。この状態においては、可動子２０は、吐水流の排出力によって矢印Ｍ１の方向に押しつけられている。そして、可動子２０のストッパ２０Ｃが旋回室の絞り部８Ｎに当接した状態となる。この時、旋回流の水膜ＷＦは、旋回室の周側壁８Ｗに沿って形成されている。
【００４３】
次に、図１４（ｂ）は、マッサージノズルを被処理部位（図示せず）に押し当てた瞬間を表す。吐水流の排出力に対向してマッサージノズルを被処理部位におしあてると、可動子２０は、矢印Ｍ２で表した方向に移動し、旋回室８の中に押し込められる。このように旋回室８の中に可動子２０が押し込められた状態において、可動子２０が理想的に旋回室の中心軸上にあれば、バランスがとれてそのままの姿勢を維持することも考えられる。
【００４４】
しかし、現実には各種の要因によって可動子２０は図１４（ｃ）に表した如く旋回室の中心から径方向に（例えば、矢印Ｍ３の方向に）偏心する。可動子２０がこのように偏心する要因としては、例えば、図示しない被処理部位の変形の偏りや、被処理部位とマッサージノズルとの相対的な移動や、可動子２０の比重の効果などを挙げることができる。例えば、可動子２０が水よりも比重の小さいプラスチックなどにより形成されている場合には、可動子２０には浮力が作用する（このマッサージノズルは、例えば、浴槽にはった水あるいはお湯の中に浸した状態で使用できる）。その結果として、図１４（ｃ）に矢印Ｍ３で表したように、可動子２０は鉛直上方に移動して偏心する。
【００４５】
可動子２０がこのように旋回室８の中で偏心すると、可動子２０に作用する旋回流の排出力が等方的ではなくなる。すなわち、図１４（ｄ）に表したように、可動子２０の片側が旋回流の水膜ＷＦに深く浸された状態となる。その結果として、可動子２０の片側に旋回流の排出力がより大きく作用し、矢印Ｍ４で表したように傾斜する。
【００４６】
可動子２０は、このように傾斜した姿勢のまま、旋回流の旋回力によって回転する。すなわち、可動子２０は、中心軸２０ｚを中心とした自転運動をする。さらに、可動子２０は、その中心軸２０ｚが旋回室８の中心軸Ｚに対して傾斜した状態のまま、中心軸Ｚの回りに回転運動する。
【００４７】
以上、本発明のマッサージノズル１の可動子２０の多様な運動のひとつの具体例として、「みそすり運動」について説明した。このように可動子２０が旋回軸ＣＦから偏心しつつ「みそすり運動」をすることによって、被処理部位２１０に対して物理的な振動を与えることができる。つまり、旋回吸引力Ｆによって旋回室８の中に引き込まれた被処理部位に対して、可動子２０が回転しながら周囲から交番的な押圧力を作用させる。本発明者が実施した官能評価試験においても、旋回室８の中に引き込まれた被処理部位に対して「みそすり運動」をする可動子２０が周囲からあたることにより、旋回流ＣＦの回転方向に揺さぶられるような振動が与えられ、吸引作用と相乗して非常に高いマッサージ感が得られた。すなわち、本発明によれば、可動子２０を設けることにより、快適且つ効果的な振動作用が得られ、さらに効果的な吸引マッサージが可能となる。
【００４８】
本発明者は、可動子２０が被処理部位に対して与える振動効果について、高速ビデオカメラと振動ピックアップとをそれぞれ用いて測定した。その結果、可動子２０による振動の周波数は、概ね１０〜４０ヘルツであり、水の流量を増加させると振動数も増加する傾向が見られた。本発明者のこれまでの研究によれば、マッサージノズルを使用する人間が心地よいと感ずる振動周波数は、数１０ヘルツであり、本発明によれば、この帯域の周波数の振動が得られることが判明した。なお、これらの事実は、後に説明するガイド部１０つきのマッサージノズルにおいても同様であった。
【００４９】
また、後に詳述するように、可動子２０は、「みそすり運動」の他にも、各種の運動をする場合がある。可動子２０の傾斜の状態や、自転あるいは公転運動の態様は、可動子２０と旋回室８のサイズや形状などの構造パラメータによって変化する。また、これら構造パラメータの組合せによっては、可動子２０が殆ど偏心も傾斜せず、その中心軸２０ｚの回りに自転運動のみをする場合もある。また、可動子２０が傾斜せずに旋回室の中心軸Ｚに対して偏心した状態のままで自転運動をするとともに、中心軸Ｚの回りに公転運動をする場合もある。また、可動子が自転せずに中心軸Ｚの回りに公転運動のみをする場合もある。またさらに、可動子２０の中心軸２０ｚが旋回室の中心軸Ｚとは交差せずに傾斜した「ねじれ」の方位関係を保ちつつ、回転や公転する場合もある。本願明細書においては、これらいずれも、「みそすり運動」に「類似した運動」と呼ぶものとする。
【００５０】
図１５は、本実施形態のマッサージノズル１に設けることができる可動子の他の具体例を表す模式斜視図である。すなわち、本具体例の可動子２０は、円筒状のリング部２０ａの外周壁から突出したストッパ２０ｃの根本にリブ２０ｄを有する。リブ２０ｄは、可動子２０の自転方向に対して略平行に設けられている。
【００５１】
これらリブ２０ｄは、旋回流ＣＦが有する吐水口７に向かう排出力をより強く受け止め、可動子２０を吐水口７に向けて押しつける圧力を増加させる作用を有する。その結果として、被処理部位に対する衝突的な刺激や振動的な刺激をより強くできるという効果を奏する。
【００５２】
また、本発明においては、このような可動子をマッサージノズル１の本体に対して着脱自在とすることもできる。例えば、図１乃至図４に例示したマッサージノズル１の場合、絞り部８Ｎの部分を旋回部２から取り外し可能とし、ここから可動子２０を自由に交換できるようにしてもよい。  
このようにすれば、使用者の好みの形状やサイズの可動子２０を自由に選んで、使用者毎に使い分けることも可能となり、便利である。
【００５３】
図１６乃至図１８は、本実施形態の第２の具体例としてのマッサージノズルを表す模式図である。すなわち、図１６は、マッサージノズル１の斜視図であり、図１７は、正面図、図１８は、図１７のＡ−Ａ線断面図である。  
また、図１９は、本具体例における可動子２０の斜視図である。これらの図面については、図１乃至図１５に関して前述したものと同様の要素には同一の符号を付して詳細な説明は省略する。
【００５４】
本具体例のマッサージノズル１においては、全長がやや長い可動子２０が設けられている。可動子２０は、図１９に表したように、円筒状のリング部２０ａと、後方においてその外周壁から突出したストッパ２０ｃと、リング部２０ａの先端付近において、その外周壁から突出した第２のストッパ２０ｅと、を有する。第２のストッパ２０ｅは、可動子２０が吐水口７から旋回室８の中に没入することを防ぐ役割を有する。すなわち、図１８に表したように、第２のストッパ２０ｅの先端を含めた外周サイズＸ４は、吐水口７の開口径Ｘ１よりも大きく形成されている。なお、ストッパ２０ｅは、図１７及び図１９に例示した如く、中心軸２０Ｚに対して略対称状に設けても良いが、対称に設けなくとも、可動子２０が吐水口７から旋回室８の中に没入しないように設けられていればよい。
【００５５】
このようにすると、マッサージノズル１を被処理部位にあてた状態においても、可動子２０が旋回室８の中に押し込まれず、可動子２０の開口２０ｂが被処理部位に接触して吸引する状態が維持される。
【００５６】
図２０は、本具体例のマッサージノズル１における可動子２０の動作の一部を表す模式図である。すなわち、同図（ａ）は吐水口７を正面から眺めた図、同図（ｂ）は吐水口７を側面から眺めた図、同図（ｃ）は吐水口７を斜め上方から眺めた図、同図（ｄ）は吐水口７を裏側から眺めた図である。
【００５７】
これらの図面に表したように、本具体例においても、可動子２０は旋回流の旋回軸Ｚに対して傾斜した姿勢を維持しつつ、「みそすり運動」やそれに類似する運動をする。ただし、本具体例においては、可動子２０は吐水口７から突出した状態を維持する。従って、吸引マッサージを実施すると、被処理部位は、可動子２０の開口２０ｂから吸い込まれた状態で、可動子２０の「みそすり運動」やそれに類似する運動に合わせて円周方向に揺さぶられるマッサージを受けることができる。
【００５８】
すなわち、本具体例によれば、旋回流による吸引効果と同時に、開口２０ｂが「みそすり運動」やそれに類似する運動をすることによって吸引部の全体が揺さぶられるような振動を与えることができ、マッサージ効果が大幅に促進される。
【００５９】
図２１乃至図２３は、本実施形態の第３の具体例としてのマッサージノズルを表す模式図である。すなわち、図２１は、マッサージノズル１の斜視図であり、図２２及び図２３は、その縦断面図である。  
また、図２４は、可動子２０の斜視図である。これらの図面についても、図１乃至図２０に関して前述したものと同様の要素には同一の符号を付して詳細な説明は省略する。
【００６０】
本具体例のマッサージノズル１においては、旋回室８の中に延出するように全長が長い可動子２０が設けられている。可動子２０は、図２４に表したように、円筒状のリング部２０ａと、その外周壁から突出したストッパ２０ｃと、を有する。さらに、リング部２０ａはストッパ２０ｃよりも後方に延出し、その延出部に複数の側面開口２０ｆが設けられている。
【００６１】
図２３に表したように、この可動子２０は、動作状態において、図示しない被処理部位により旋回室８の中に向けて押し込まれる。ただし、そのリング部２０ａが長いので、その後端部が、旋回室８の底面８Ｒ及び周側壁８Ｗに当接した状態となる。この時、リング部２０ａには側面開口２０ｆが形成されているので、入水部６から導入される水を遮ることはない。そして、旋回流ＣＦの作用により、中心軸２０ｚの回りに回転しながら、旋回軸Ｚを中心とした「みそすり運動」やそれに類似する運動をする。その結果として、被処理部位は、吸引されつつ、その吸引部が円周方向に揺すぶられるような振動を受け、高いマッサージ効果が得られる。
【００６２】
また、本具体例においては、リング部２０ａの長さを適宜設定することにより、開口２０ｂと吐水口７との相対的な位置関係を調節できる。つまり、吐水口７から内部に吸引された被処理部位のうちで、可動子２０の開口２０ｂの中に吸引され、「みそすり運動」やそれに類似する運動による直接的な揺さぶり振動を受ける部分の比率を適宜設定できる。リング部２０ａの長さを長めにすると、可動子２０は被処理部位に対してより強くあたるので、衝突的な刺激や振動的な刺激をより強く与えることができる。
【００６３】
本具体例の場合も、可動子２０をマッサージノズル１の本体に対して着脱自在とすることもできる。例えば、絞り部８Ｎの部分を旋回部２から取り外し可能とし、ここから可動子２０を自由に交換できるようにしてもよい。  
このようにすれば、リング部２０ａの長さを使用者の好みのものにして使用者毎に使い分けることも可能となり、便利である。
【００６４】
図２５乃至図２８は、本実施形態の第４の具体例としてのマッサージノズルを表す模式図である。すなわち、図２５は、マッサージノズル１の斜視図であり、図２６は、その正面図、図２７及び図２８は、そのＡ−Ａ断面図である。  
また、図２９は、可動子２０の斜視図である。すなわち、同図（ａ）は、本具体例の可動子２０を前方（吐水口７の方向）から眺めた斜視図であり、同図（ｂ）は後方（旋回室８の方向）から眺めた斜視図である。これらの図面についても、図１乃至図２４に関して前述したものと同様の要素には同一の符号を付して詳細な説明は省略する。
【００６５】
本具体例のマッサージノズル１においては、旋回室８に向けて突出する支持軸２０ｇを有する可動子２０が設けられている。すなわち、可動子２０は、図２９に表したように、円筒状のリング部２０ａと、その外周壁から突出したストッパ２０ｃと、ストッパ２０ｃの後方に設けられた複数の側面開口２０ｆと、旋回室８の底面に向けて突出した支持軸２０ｇと、を有する。  
一方、旋回室８の底面には、旋回軸Ｚを中心として円錐状に突出した突起部８Ｐが設けられている。
【００６６】
開放状態においてこのマッサージノズル１に水を供給すると、図２７に表したように旋回流の吐出圧力によって可動子２０は前方に押し出され、ストッパ２０ｃが絞り部８Ｎに当接した状態となる。
【００６７】
一方、マッサージノズル１を被処理部位にあてがってマッサージを実施する時には、図２８に表したように、可動子２０が旋回室８中に押し込まれる。すると、支持軸２０ｇと突起部８Ｐとが当接し、支持軸２０ｇの先端は、旋回軸Ｚから遠ざかる方向に移動する。つまり、突起部８Ｐと支持軸２０ｇとを設け、これらを当接させることにより、可動子２０を強制的に傾斜させることができる。この時も、リング部２０ａには側面開口２０ｆが形成されているので、入水部６から導入される水を遮ることはない。そして、旋回流ＣＦの作用により、支持軸２０ｇ（中心軸２０ｚ）の回りに回転しながら、旋回軸Ｚを中心とした「みそすり運動」やそれに類似する運動をする。その結果として、被処理部位は、吸引されつつ、その吸引部が円周方向に揺すぶられるような振動を受け、高いマッサージ効果が得られる。
【００６８】
本具体例においては、支持軸２０ｇと突起部８Ｐとを設けることにより、可動子２０を強制的に傾斜させ、「みそすり運動」やそれに類似する運動を確実に生じさせることができる。
【００６９】
また、本具体例においても、リング部２０ａと支持軸２０ｇの長さを適宜設定することにより、開口２０ｂと吐水口７との相対的な位置関係を調節できる。つまり、リング部２０ａの長さを長めにすると、可動子２０は被処理部位に対してより強くあたるので、衝突的な刺激や振動的な刺激をより強く与えることができる。
【００７０】
図３０乃至図３３は、本実施形態の第５の具体例としてのマッサージノズルを表す模式図である。すなわち、図３０は、マッサージノズル１の斜視図であり、図３１は、その正面図、図３２及び図３３は、そのＡ−Ａ断面図である。  
また、図３４は、可動子２０の斜視図である。これらの図面についても、図１乃至図２９に関して前述したものと同様の要素には同一の符号を付して詳細な説明は省略する。
【００７１】
本具体例のマッサージノズル１においては、吐水口７の外側にフランジ９を介してリング状のガイド部１０が設けられている。ガイド部１０の内周壁の先端付近には、突出部１１が設けられている。ガイド部１０の内径は吐水口７よりも大きく、吐水口７から吐水された旋回流がガイド部１０の内周壁１０Ｗに衝突するように設けられている。このようなガイド部１０を設けることにより、吐水口７から吐水される旋回流ＣＦの周囲への飛散を抑制できる。
【００７２】
一方、可動子２０は、図３４に表したように、円筒状のリング部２０ａと、その底部から周囲に円盤状に突出したストッパ２０ｃと、を有する。この可動子２０は、マッサージノズルのガイド部１０に設けられた突出部１１と可動子の２０のストッパ２０ｃとが当接することにより、通常の取り扱いに際してガイド部１０から外れることはない。  
ここで、可動子２０は、図３２に表したように、ストッパ２０ｃが突出部１１に当接した状態において、リング部２０ａの先端がガイド部１０の先端よりも外側に突出した部分を有するものとしてもよく、または、この状態において、リング部２０ａの先端がガイド部１０の先端から突出しないようにしてもよい。後に説明するように、可動子２０が突出していなくても、吸引された被処理部位に可動子２０をあてることによる振動効果などの各種の効果を得ることが可能である。
【００７３】
その動作について説明すると、開放状態においては、図３３に表したように、旋回流ＣＦの圧力によって、可動子２０は、ガイド部１０の突出部１１に当接した状態となる。この時、旋回流ＣＦは、可動子２０とガイド部１０との間の隙間から吐水される。また、水量が多い場合には、旋回流ＣＦの一部は、可動子２０の開口２０ｂからも吐水される。
【００７４】
一方、被処理部位を吸引マッサージする状態においては、可動子２０は、ガイド部１０の中に押し込まれ、自転運動とともに、大きく偏心して振幅の大きい「みそすり運動」やそれに類似する運動をする。  
図３５は、可動子２０の運動を説明するための模式図である。すなわち、同図は、可動子２０の姿勢の変化を表し、（ａ）〜（ｄ）は正面から眺めた図、（ｅ）〜（ｈ）は、横から眺めた図である。これらの図面に表したように、可動子２０は、旋回流ＣＦの旋回軸Ｚの回りに傾斜方向を変化させる「みそすり運動」やそれに類似する運動をする。ただし、本実施形態においては、内径の大きいガイド部１０の中に可動子２０を配置することにより、可動子２０の偏心量を大きくすることができ、振幅の大きな振動が得られる。
【００７５】
図３６及び図３７は、ガイド部１０の中での可動子２０の位置の変化を表す模式図である。すなわち、図３６（ａ）〜（ｄ）はガイド部１０及び可動子２０を正面から眺めた模式図であり、同図（ｅ）〜（ｈ）はガイド部１０及び可動子２０を横から眺めた模式図である。また、図３７は、ガイド部１０及び可動子２０を斜め上方から眺めた模式図である。  なお、これらの図面においては、簡単のために、ガイド部１０の突出部１１は省略した。
【００７６】
これらの図に表したように、本実施形態においては、可動子２０の外寸よりもガイド部１０の内寸がある程度大きいため、可動子２０は「みそすり運動」やそれに類似する運動に伴ってガイド部１０の中での偏心量も大きい。例えば、図３６（ａ）及び（ｅ）に表した状態においては、可動子２０は、ガイド部１０の中で、向かって上端に寄っている。一方、図３６（ｃ）及び（ｊ）に表した状態においては、可動子２０は、ガイド部１０の中で、図に向かって下端に寄っている。このように、可動子２０は、ガイド部１０の中で偏心し、時々刻々、位置を変えることにより、大きな振幅をともなう「みそすり運動」やそれに類似する運動をする。このとき、ストッパ２０ｃが円盤状に形成されているので、可動子２０は、ガイド部１０内においてより円滑に運動できる。
【００７７】
その結果として、被処理部位に与える振幅も大きくなる。つまり、被処理部位は、可動子２０の動作に伴ってガイド部１０の中で大きく揺すぶられることとになり、振動によるマッサージ効果をさらに促進することができる。
【００７８】
なお、本実施形態の如くリング状のガイド部１０を設ける場合、ガイド部１０の長さ（図３２において、吐水口７から突出部１１までの距離）が短すぎると、旋回室８の中心軸に対して可動子２０が傾斜するスペースがあまりなくなり、被処理部位に対して片当たりしなくなるので、振動刺激感が少なくなる場合がある。一方、ガイド部１０の長さが長すぎると、可動子２０が吐水口７の方向に大きく後退して衝突刺激感が低下したり、大きく傾斜して吸引領域が低下することによって、振動刺激感が不足する場合がある。
【００７９】
本発明者が実施した実験の一例を挙げると、ガイド部１０の長さを１５ｍｍ、２５ｍｍ及び３５ｍｍの３種類とし、可動子のストッパ２０ｃの厚みを２ｍｍ、リング部２０ａの長さを１０ｍｍ（ストッパ２０ｃを含めると１２ｍｍ）とした場合には、ガイド部１０の長さが２５ｍｍのマッサージノズルにおいて、もっとも良好なマッサージ感が得られた。
【００８０】
なお、本実施形態においても、旋回部２とフランジ９との間や、フランジ９とガイド部１０との間を着脱自在に形成してもよい。例えば、旋回部２とフランジ９との間を着脱自在とすれば、使用者の好みなどに応じて、フランジ９（ガイド部１０も含む）を自由に交換し、好みの吸引力や、振動などの刺激感を選ぶことができる。また、フランジ９とガイド部１０との間を着脱自在とすれば、可動子２０の着脱や交換も容易となる。
【００８１】
これらフランジ９やガイド部１０などの着脱の機構としては、例えば、ネジ嵌合やＬ字溝と突起との嵌合機構など、各種のものを適宜用いることができる。ただし、旋回流による脱落や緩みを防止するためには、旋回流の方向と同方向の回転により固定（締まる）される機構とすることが望ましい。  
また、通常の使用者にとって、固定に際して右回転させるほうが心理的に自然であるので、旋回流が右回転となるように入水部６を設けるとよい。このようにすれば、着脱も容易であり、旋回流による不用意な脱落なども防止できる。
【００８２】
次に、本発明のマッサージノズル１において用いることができる可動子の変型例について説明する。  
図３８は、ガイド部１０を有するマッサージノズル１に用いることができる可動子の第１の変形例を表す模式斜視図である。  
すなわち、本変型例においては、可動子２０は、略円筒状のリング部２０ａと、その後方において外周壁から突出したストッパ２０ｃと、を有する。本変型例の場合、ストッパ２０ｃが羽根の作用も有するので、旋回流の旋回力を受けて回転しやすくなる。この可動子２０は、後に図４５などに関して説明するマッサージノズルに用いて好適である。
【００８３】
図３９は、ガイド部１０を有するマッサージノズル１に用いることができる可動子の第２の変型例を表す模式斜視図である。    
すなわち、本変型例においては、可動子２０は、図３４に表したものと同様に、円筒状のリング部２０ａと、その底部から周囲に円盤状に突出したストッパ２０ｃと、を有する。そしてさらに、本変型例においては、リング部２０ａの一部に補助開口２０ｍが設けられている。このような補助開口２０ｍを設けることにより、可動子２０に作用する旋回流ＣＦの力が円周方向にみて不均一となる。その結果として、ややランダムな振動を生じさせることが可能となり、振動によるマッサージ効果をさらに高めることが可能となる。
【００８４】
図４０は、ガイド部１０を有するマッサージノズル１に用いることができる可動子の第３の変型例を表す模式斜視図である。    
本変型例においても、可動子２０は、図３４に表したものと同様に、円筒状のリング部２０ａと、その底部から周囲に円盤状に突出したストッパ２０ｃと、を有する。そしてさらに、本変型例においては、リング部２０ａの内周壁から内側に向けて突出した羽根２０ｉが設けられている。このような羽根２０ｉを設けることにより、可動子２０に作用する旋回流ＣＦの作用が強くなり、回転運動が促進される。また同時に、開口２０ｂから吸引された被処理部位に対して、これら羽根２０ｉが接触することによる刺激を与え、振動マッサージ効果をさらに高めることも可能となる。
【００８５】
図４１は、ガイド部１０を有するマッサージノズル１に用いることができる可動子の第４の変型例を表す模式斜視図である。    
本変型例においても、可動子２０は、図３４に表したものと同様に、円筒状のリング部２０ａと、その底部から周囲に円盤状に突出したストッパ２０ｃと、を有する。そしてさらに、本変型例においては、円周方向にみてその一部が切り取られた切り欠き部２０ｊが設けられている。
【００８６】
このような切り欠き部２０ｊを設けることにより、可動子２０に作用する旋回流ＣＦの力が円周方向にみて不均一となる。その結果として、ややランダムな振動を生じさせることが可能となり、振動によるマッサージ効果をさらに高めることが可能となる。
【００８７】
図４２は、ガイド部１０を有するマッサージノズル１に用いることができる可動子の第５の変型例を表す模式斜視図である。    
本変型例においては、可動子２０は、図３４に表したものと同様に、円筒状のリング部２０ａと、その底部から周囲に円盤状に突出したストッパ２０ｃと、を有する。ただし、本変型例においては、ストッパは、円周方向にみて均一な幅で突出しておらず、その突出量が偏っている。つまり、円盤状のストッパ２０ｃに対して、リング部２０ａが偏心して配置されている。
【００８８】
この可動子２０によれば、リング部２０ａが偏心しているため、可動子２０の回転にともなって被処理部位に与える振動の振幅をさらに大きくすることができる。つまり、振動によるマッサージ効果をさらに高めることが可能となる。また、本具体例の場合、みそすり運動をさせずに、中心軸２０ｚが旋回室の中心軸Ｚに対してほぼ平行な状態のままで、可動子２０を回転させても良好なマッサージ効果が得られる。すなわち、この可動子２０を旋回室の中心軸Ｚの回りに回転させると、偏心して設けたリング部２０ａが被処理部位に対して強い振動的な刺激を与える。その結果として、強い「揉みほぐし効果」が得られる。
【００８９】
図４３は、ガイド部１０を有するマッサージノズル１に用いることができる可動子の第６の変型例を表す模式斜視図である。    
本変型例においては、可動子２０は、円盤状のストッパ２０ｃと、その主面から突出した複数の突起２０ｈと、を有する。このような突起２０ｈを設けることにより、被処理部位に対して、より強い刺激を与えることができる。すなわち、この可動子２０が図３０乃至図３７に関して前述した如く、ガイド部１０の中で、偏心しながら「みそすり運動」やそれに類似する運動をすると、複数の突起２０ｈが被処理部位に対して強い振動押圧力を与えることにより、高いマッサージ効果が得られる。
【００９０】
図４４（ａ）は、ガイド部１０を有するマッサージノズル１に用いることができる可動子の第７の変型例を表す模式斜視図であり、同図（ｂ）はその縦断面図である。    
本変型例においては、可動子２０は、略円錐状の側面を有する。本具体例の場合、その円錐状の側面のうちで、ガイド部１０の突出部１１に当接する部分がストッパ２０ｃとして作用し、そのよりも下流側（前方）はリング部２０ａである。  
本具体例の可動子は、つば状のストッパを設ける必要がなく、構造が簡単であるので製造も容易である点で有利である。
【００９１】
以上説明した可動子の他にも、本発明においては、各種の可動子を用いることができる。例えば、図３９、図４１及び図４２に例示したものをはじめとして、重量のバランスが軸対称でない各種の形状の可動子を用いることができる。これらの可動子を用いた場合、図１４に関して前述したように、可動子を旋回室の中心軸Ｚに対して偏心させることが容易となり、確実な振動効果が得られる。
【００９２】
また、可動子２０の材料としては、プラスチック、セラミックス、金属などの他にも、例えば、ゴムなどの可撓性材料を用いることができる。ゴムなどを用いた場合、被処理部位に与える衝撃や振動がマイルドになり、強すぎる刺激を好まない使用者の要求に対応できる。
【００９３】
また、可動子をゴムなどの軟質の材料で形成すると、変形が容易であるので、マッサージノズルのガイド部１０あるいは旋回室８の中に容易に挿入できるという点でも有利である。ただし、本発明者の試作実験の結果によれば、可動子の材質が柔らかすぎると、円滑に回転運動をしなかったり、また、使用中に可動子２０が吐水口７やガイド部１０から飛び出してしまう場合もあった。可動子２０の形状やサイズにもよるが、一例として、硬度が５０あるいは６０の材料を用いた場合には良好な結果が得られず、硬度が７０の場合にはほぼ良好であり、硬度が８０または９０の場合には良好な結果が得られた。
【００９４】
また、ストッパ２０ｃの部分を例えばプラスチック等の硬い材料により形成し、リング部２０ａの先端部分（人体にあたる部分）をゴムなどの可撓性材料により形成してもよい。このようにすると、回転運動を確実としつつ、マイルドな刺激を実現できる。
【００９５】
一方、以上説明した各種の可動子を、マッサージノズル１の本体に対して着脱自在とすることもできる。例えば、図３０乃至図３３に例示したマッサージノズル１の場合、ガイド部１０をフランジ９の部分から取り外し可能とし、ここから可動子２０を自由に交換できるようにしてもよい。  
このようにすれば、使用者の好みの形状やサイズの可動子２０を自由に選んで、使用者毎に使い分けることも可能となり、便利である。
【００９６】
次に、開放状態においてシャワー状の吐水が得られるマッサージノズルについて説明する。  
図４５は、本実施形態の第６の実施例としてのマッサージノズルの斜視図である。  
また、図４６は、本実施形態のマッサージノズルの正面図である。  
また、図４７及び図４８は、図４６のＡ−Ａ線断面図である。これらの図面については、図１乃至図４３に関して前述したものと同様の要素には同一の符号を付して詳細な説明は省略する。
【００９７】
本具体例においては、ガイド部１０の先端に散水板１２が設けられ、散水板１２に複数の散水孔１２ａが開口されている。散水板１２は、例えば図３０などに表した突出部１１を円環状に形成したものに対応する。可動子２０は、散水板１２によってガイド部１０の中に保持される。可動子２０は、固定されておらず、フランジ９とガイド部１０と散水板１２とにより規定される空間内で自在に動くことができる。  
可動子２０は、図３４に表したものと同様の形態を有し、中央に開口２０ｂを有する円筒状のリング部２０ａと、リング部２０ａの外周壁から突出したストッパ２０ｃと、を有する。ストッパ２０ｃは、散水板１２の中央に設けられた開口１２ｂの内径よりもやや大きく形成され、通常の取り扱いに際してガイド部１０から外れることはない。また、可動子のストッパ２０ｃは、散水孔１２ａを実質的に塞がないようにその外寸が規定されている。
【００９８】
図４７を参照しつつ、本実施形態のマッサージノズル１の動作状態について説明する。図示しない送水手段からマッサージノズル１に送水すると、旋回室８において旋回流ＣＦが形成される。この旋回流ＣＦは、吐水口７からガイド部１０の内周壁１０Ｗに沿って旋回し、散水板１２に到達する。この際に、可動子２０は、旋回流ＣＦの圧力によって散水板１２の裏面に当接し、筒状のリング部２０ａが散水板の開口１２ｂから外側に突出した状態となる。この時、可動子２０は、旋回流ＣＦによって、ガイド部の内周壁１０Ｗから中心に向かう略均等な押圧力を受け、旋回流ＣＦの旋回軸Ｚと略同軸に配置される。つまり、可動子２０の中心軸２０ｚと旋回軸Ｚとがおよそ同軸に重なり、可動子２０は、ガイド部の内周壁１０Ｗからみてほぼ等距離の位置で、散水板１２の裏面に当接する。
【００９９】
この時、可動子のストッパ２０ｃは、散水板１２に設けられた散水孔１２ａを実質的に塞ぐことはなく、散水板１２に到達した旋回流ＣＦは、散水孔１２ａからシャワー状に放出される。また、開口１２ｂに溢れ出た旋回水流は、図４７において矢印Ｃ１の方向に放出されるが、リング部２０ａの内壁に衝突して旋回成分が抑制されるので、広角度の飛散を防止できる。
【０１００】
この状態において、可動子の開口２０ｂの内側には、旋回流ＣＦによる負圧領域が形成されている。そこで、被処理部位２１０を近づけると、吸引マッサージを実施できる。
【０１０１】
マッサージノズル１を被処理部位に軽く押しつけると、図４８に表したように、可動子２０が旋回流ＣＦの圧力に対抗して後退し、偏心しながら、「みそすり運動」やそれに類似する運動をする。その結果として、被処理部位２１０に対して揺さぶりを伴う振動が与えられ、マッサージ効果を高めることができる。
【０１０２】
またこの時、散水孔１２ａから放出される水流Ａ１及び開口１２ｂから放出される水流Ｂ１によって被処理部位２１０に押圧力が作用し、さらにこれら水流により形成される水膜によって被処理部位２１０が保護された状態となる。
【０１０３】
図４９は、可動子２０による飛散防止効果を表す写真である。  
なお、ここで用いたマッサージノズルは、ガイド部１０の長さが２５ｍｍで、開口１２ｂの直径が６０ｍｍφ、可動子２０のストッパ２０ｃの直径は６２ｍｍφ、リング部２０ａの外周直径は４８ｍｍφ、内周直径（開口２０ｂの径）は４４ｍｍφである。
【０１０４】
図４９（ａ）は、可動子２０を設けない場合を表す。開口１２ｂから放出される旋回水流により、飛散成分が多いことが分かる。
【０１０５】
図４９（ｂ）は、可動子２０を設けた場合を表す。可動子２０を設けることにより、開口１２ｂから放出される旋回水流の旋回成分が抑制され、飛散の少ない集束した放出水流が得られていることが分かる。この状態で、マッサージノズル１を被処理部位に近づけると、図４８に関して前述したように、効果的な吸引マッサージを実施することができた。なお、同様の効果は、図３９や図４０に表した可動子をはじめとして、各種の形状の可動子を用いた場合にも得られる。
【０１０６】
図５０乃至図５２は、本実施形態の第７の具体例としてのマッサージノズルを表す模式図である。すなわち、図５０は、マッサージノズル１の斜視図であり、図５１は、その正面図、図５２は、そのＡ−Ａ断面図である。  
また、図５３は、可動子２０の斜視図である。これらの図面についても、図１乃至図４３に関して前述したものと同様の要素には同一の符号を付して詳細な説明は省略する。
【０１０７】
本具体例のマッサージノズル１においても、吐水口７の外側にフランジ９を介してリング状のガイド部１０が設けられている。そして、ガイド部１０の内周壁の先端付近には、円周状にわずかに突出した突出部１３が設けられている。
【０１０８】
一方、可動子２０は、図５３に表したように、円筒状のリング部２０ａと、その底部から周囲に円盤状に突出したストッパ２０ｃと、を有する。ストッパ２０ｃは、ガイド部１０の先端に設けられた突出部１３と当接することにより、可動子２０がガイド部１０から外れることを防止している。そして、可動子２０のストッパ２０ｃには、複数の放水孔２０ｋが設けられている。
【０１０９】
本具体例のマッサージノズル１は、可動子２０に複数の放水孔２０ｋを設けることにより、開放状態（被処理部位に接触させていない状態）において旋回流ＣＦの飛散を防ぐことができる。すなわち、図５２に表したように、開放状態においては旋回流ＣＦの圧力によって、可動子２０はガイド部の先端に設けられた突出部１３に当接した状態となる。そして、吐水口７からガイド部１０の内周壁１０Ｗを旋回してきた旋回流ＣＦは、可動子２０のストッパ２０ｃに衝突し、矢印Ａ１で表したように、複数の放水孔２０ｋからシャワー状に前方に放出される。つまり、可動子２０に設けられた放水孔２０ｋが整流作用を奏し、旋回流ＣＦの旋回成分を抑止する。その結果として、通常のシャワーヘッドと同様に用いることが可能である。
【０１１０】
なお、放水孔２０ｋからの吐水量が不足する場合には、矢印Ｃ２で表したように、可動子２０の開口２０ｂから旋回流ＣＦが溢れ出ることとなる。しかしこの場合も、矢印Ｃ２の水流があまり強くない場合には、水流Ａ１により表されたシャワー状の水膜によって遮断されるので、周囲に吐水が飛散することはない。
【０１１１】
一方、被処理部位にあてがってマッサージをする状態においては、図１乃至図４３に関して前述したように、可動子２０は、ガイド部１０の中で偏心しながら「みそすり運動」やそれに類似する運動をする。その結果として、被処理部位に対して、揺さぶりをともなう振動を与えることにより、吸引マッサージに振動の効果も付加した効果的なマッサージを実施することができる。
【０１１２】
図５４乃至図５７は、本実施形態の第８の具体例としてのマッサージノズルを表す模式図である。すなわち、図５４は、マッサージノズル１の斜視図であり、図５５は、その正面図、図５６は、そのＡ−Ａ断面図、図５７は、可動子２０を取り外した状態でのＡ−Ａ線断面図である。これらの図面についても、図１乃至図５３に関して前述したものと同様の要素には同一の符号を付して詳細な説明は省略する。
【０１１３】
本具体例のマッサージノズル１においては、吐水口７の外側にフランジ９を介して、複数の突起として保持爪１５が突出している。保持爪１５は、その先端に、内側に向けて突出した突出部としての爪部１６を有する。
【０１１４】
一方、可動子２０は、図３４に表したものと同様の形状を有し、円筒状のリング部２０ａと、その底部から周囲に円盤状に突出したストッパ２０ｃと、を有する。ストッパ２０ｃは、保持爪１５の先端に設けられた爪部１６と当接することにより、可動子２０がマッサージノズル１から外れることを防止している。このとき、ストッパ２０ｃが円盤状に形成されているので、可動子２０は、保持爪１５の内側において円滑に運動できる。
【０１１５】
ここで、可動子２０は、図５６に表したように、ストッパ２０ｃが爪部１６に当接した状態において、リング部２０ａの先端が保持爪１５の先端よりも外側に突出した部分を有するものとしてもよく、または、この状態において、リング部２０ａの先端が保持爪１５の先端から突出しないようにしてもよい。後に説明するように、可動子２０が突出していなくても、吸引された被処理部位に可動子２０をあてることによる振動効果などの各種の効果を得ることが可能である。
【０１１６】
本具体例のマッサージノズル１も、開放状態においては、図５６に表したように、可動子２０は、旋回流ＣＦの圧力によって、ストッパ２０ｃが保持爪１５の爪部１６に当接した状態となる。そして、マッサージノズル１を被処理部位にあてがうと、可動子２０が後方に押されて旋回流ＣＦの旋回力によって回転運動をする。その際に、保持爪１５により取り囲まれた空間内において、偏心し、また傾斜した「みそすり運動」やそれに類似した運動をさせることによって、被処理部位に対して物理的な振動を与えることができる。  
また、本具体例の場合、複数の保持爪１５を被処理部位に接触させることよる押圧効果も併せて得られる。
【０１１７】
なお、図５４乃至図５７には、図３４の形状の可動子２０を設けた場合を例示したが、本発明はこの具体例には限定されず、図３９や図４０に表した可動子をはじめとして、各種の形状の可動子を用いることができる。
【０１１８】
次に、本発明のマッサージノズル１の吸引圧力を測定した結果について説明する。  
図５８乃至図６２と、図６３乃至６７は、本発明者が試作評価した２種類マッサージノズル１を表す模式図である。  
すなわち、図５８は、、マッサージノズル１（サンプル１）の斜視図であり、図５９は正面図、図６０は上面図、図６１は側面図、図６２（ａ）は図５９のＡ−Ａ線断面図であり、同図（ｂ）はその入水部６の形状を表す模式図である。  
また、図６３は、、マッサージノズル１（サンプル２）の斜視図であり、図６４は正面図、図６５は上面図、図６６は側面図、図６７は図４１のＡ−Ａ線断面図である。  
これらの図面については、図１乃至図５７に関して前述したものと同様の要素には同一の符号を付して詳細な説明は省略する。
【０１１９】
図５８乃至図６２に表したサンプル１のマッサージノズルは、可動子２０を有し、図６３乃至図６７に表したサンプル２のマッサージノズルは、可動子を有しない。  
これらサンプル１及び２のマッサージノズルは、ノズル本体すなわち旋回部２と接続部４とが不透明な樹脂により一体に形成されている。また、フランジ９とガイド部１０と散水板１２は透明な樹脂により一体に形成され、本体（旋回部２）に対して接着剤により固定されている。
【０１２０】
一方、サンプル１のマッサージノズルの可動子２０はゴムにより形成されている。図６２に各部のサイズを表したように、散水板１２の開口１２ｂの内径が５８ミリメータであるのに対して、可動子のストッパ２０ｃの外寸は６４ミリメータである。この可動子２０をゴムで形成することにより、容易に弾性変形させて、開口１２ｂを介してガイド部１０の中に挿入及び取り出しできる。
【０１２１】
また、その入水部６は、後に図７１を参照しつつ説明するように、入水方向に対向する方向から見たときに、旋回流ＣＦの旋回軸に対して垂直な方向の幅（３．８ミリメータ）よりも旋回軸に対して平行な方向の幅（１１．８ミリメータ）の方が大なる形態に形成されている。このような扁平形状とすると、効率的に旋回流ＣＦを発達させることができる。また、旋回部２の背面側にはゴム製の滑り止め２Ｓが接着して設けられており、使用者が持ちやすく、手になじむように形成されている。
【０１２２】
一方、散水板１２には、直径４ミリメータの４０個の散水孔１２ａが設けられている。これら散水孔１２ａの中心が形成する円の直径（Ｐ．Ｃ．Ｄ．）は６６ミリメータである。図６２から分かるように、可動子２０が散水板１２の開口１２ｂの中心にある時、可動子のストッパ２０ｃは、散水孔１２ａと約１ミリメータほどオーバーラップする。  
このように構成されたサンプル１のマッサージノズルにおいて吐水状態を確認したところ、良好なシャワー吐水が実現されていた。つまり、可動子のストッパ２０ｃと散水孔１２ａとが多少オーバーラップしても、実質的に散水孔１２ａが塞がれることはないことが分かった。可動子のストッパ２０ｃを大きめに形成することにより、マッサージノズル１を大気中で吐水させる状態（開放吐水状態）において、旋回流ＣＦの水流によって可動子２０を確実に前方に押し出すことができる。
【０１２３】
また、可動子２０の中心軸が旋回軸とずれた状態においても、ストッパ２０ｃと散水板１２の開口１２ｂとの間に「隙間」が生じにくくなる。つまり、ストッパ２０ｃによる「堰」の効果を確実なものとすることができる。その結果として、散水孔１２ａから吐水させることによる整流効果を確実に得ることができる。  
また、マッサージ時にも可動子はノズル前方への力をより確実に受けるので、被処理部位への振動刺激をより確実なものとすることができる。
【０１２４】
また、可動子のストッパ２０ｃを大きめに形成すると、その一部が旋回流ＣＦに影響を与えやすくなる。つまり、可動子２０の動きによって旋回流ＣＦの流れが変化し、吸引領域をダイナミックに変化させることも可能となる。つまり、可動子２０の動きに応じて負圧領域（吸引領域）の分布が変化し、これによる振動効果やねじり効果などによってマッサージ効果がさらに増進する。
【０１２５】
本発明者は、これらマッサージノズルの吸引圧力を測定した。  
図６８は、本発明者が実施した測定の方法を表す模式図である。  
すなわち、マッサージノズル１の前方に、小穴３００ａを設けた受圧板３００を配置し、この小穴における圧力−Ｐをマノメータにより測定した。なお、測定は、マッサージノズル１を水中に沈めた状態で実施し、サンプル１、サンプル２共に、散水板１２の前面と受圧板３００との間隔は７ミリメータとした。また、受圧板３００は、９０ミリメータ角であり、小穴３００ａは直径２ミリメータとした。なお、この測定においては、可動子２０は、図６８（ｂ）に表したように、ガイド部１０内で回転した。
【０１２６】
なお、小穴３００ａは受圧板３００の中央に設けられ、マッサージノズル１の中心軸に対応するように配置されている。また、この測定においては、マッサージノズル１へ供給される流量Ｑ及び圧力Ｐを測定した。
【０１２７】
図６９は、各サンプルに供給される流量Ｑと圧力Ｐとの関係を表すＰ−Ｑグラフ図である。このとき、散水板１２を取り除いてガイド部１０を露出させても、ガイド部１０及びフランジ９を取り除いて吐水口７を露出させても、Ｐ−Ｑグラフ図はほぼ同一であった。
【０１２８】
つまり、フランジ９、ガイド部１０、散水板１２、可動子２０などを付加しても、圧力損失は殆ど増加しないことが分かる。これは、マッサージノズル１における圧力損失の大部分は、旋回室８における旋回流ＣＦの形成において生じていることを意味するものと考えられ、散水板１２や可動子２０を設けたことによる効率の低下が非常に小さいことを意味する。
【０１２９】
図７０は、受圧板３００の小穴３００ａにおいて測定した吸引圧力を表すグラフ図である。このグラフにおいて、三角形と正方形のプロットがそれぞれのサンプルの実測値であり、曲線は実測値を２次曲線近似により表したものである。  
サンプル１及び２のマッサージノズルの場合、流量が毎分１７乃至２８リッターの範囲において、３０００乃至９０００パスカルの吸引圧力が得られており良好な吸引感を得ることができた。  
複数の被験者による体感評価も同時に実施した結果、流量が毎分１０リッター未満では、可動子２０は動くが刺激感には乏しく、一方、流量を毎分４３リッター以上とすると、可動子２０の動きが激しく、回転のせん断力による刺激が強くなる傾向がみられた。多くの被験者の体感評価の結果を総合すると、流量を毎分１５リッター以上とすると適度な刺激が得られることが多かった。また、通常の家庭における使用においては、５０乃至２００ワット程度の送水ポンプを用いることが多いと考えられ、この観点からは、流量の上限はおよそ毎分３０リッターである。
【０１３０】
高出力の送水ポンプは、騒音がやや大きくなるので、家庭における使用にはやや適さないが、エステティックサロンや医療用等の業務用途においては使用が可能であり、さらに大きな流量による強いマッサージ効果や高い生体効果、強い刺激感などを与えることが可能となる。
【０１３１】
次に、本発明のマッサージノズル１の入水部６の形状について説明する。すなわち、本発明において強い吸引力を得るためには、旋回室８においてその周側壁８Ｗに沿った旋回流ＣＦを効率的に発達させることが重要である。このためには、入水部６の開口を扁平状に形成する方法が有効である。
【０１３２】
図７１は、この方法により形成されたマッサージノズル１を表す模式図である。
【０１３３】
すなわち、同図（ａ）は、図４に表したものと同様の断面図であり、同図（ｂ）は、そのＤ−Ｄ線断面図である。  
図７１に表したように、このマッサージノズルの場合、旋回室８に対する入水方向（矢印Ｓ）に対向する方向から見たときに、旋回流ＣＦの旋回軸Ｚに対して垂直な方向の幅Ｗ２よりも旋回軸Ｚに対して平行な方向の幅Ｗ１の方が大なる形態に形成されている。換言すると、旋回室８への入水方向（矢印Ｓ）に対して垂直且つ旋回流ＣＦの旋回軸Ｚに対して垂直な方向に沿った入水部６の幅Ｗ２よりも、旋回室８に対する入水方向に対して垂直且つ旋回流の旋回軸Ｚに対して平行な方向に沿った入水部６の幅Ｗ１の方が大となるように形成されている。このように入水部６を形成することにより、旋回室８において旋回流を効率的に発達させることができる。その結果として、旋回室の周側壁８Ｗからガイド部の内周壁１０Ｗに沿った均一で強い旋回流ＣＦを形成し、強い吸引力が得られるとともに、可動子２０の運動範囲を広げ、可動子２０の「みそすり運動」やそれに類似する運動をより確実に生じさせて、衝突的な刺激や振動的な刺激による高いマッサージ効果が得られる。
【０１３４】
なおここで、入水部６の全体に亘って、上述の幅Ｗ１とＷ２との関係が維持される必要はなく、その一部のみにおいて、上述の幅Ｗ１とＷ２との関係が成立すればよい。例えば、旋回流への影響度を鑑みると、入水口６Ｂあるいはその近傍において上述の幅Ｗ１とＷ２との関係が成立することが望ましく、圧力損失を低減するために、入水路６Ａは導入路５から入水口６Ｂへと滑らかに連通していることが望ましい。
【０１３５】
次に、本発明のマッサージノズル１の旋回室８の形状について説明する。本発明においては、旋回室８は、吐水口７に向けてストレートに開口する単一の略円筒状の空間を有するものとすることができる。つまり、図３２や図５２などに例示した如く、旋回室８の内径と吐水口７の開口径とはほぼ同一であり、吐水口７の付近で内径が小さくなる「絞り部」は設けられていない。旋回室８の形態として、このような略単一の円筒状を採用すると、吐水口７の近傍に「絞り部」を設けた場合と比較して水流の圧力損失を低くすることができ、給水圧力に対して得られる流量を増やすことができる。その結果として、旋回流ＣＦの流量を増加させ、強い吸引押圧作用を得ることができる。
【０１３６】
またさらに、このような単一の円筒状の旋回室は、製造が極めて容易であり、コストも下げることができる。なお、本具体例の吸引マッサージノズル１を樹脂の射出成形技術（インジェクション・モールド）などにより形成する場合、旋回室８の形状に「テーパ」を設ける場合がある。すなわち、鋳型に樹脂をモールドし、その後に旋回室８の内部空間を形成するための鋳型突出部を円滑に引き抜くためには、旋回室８の内径を均一ではなく、吐水口７に向けてやや内径が拡がるように形成することが望ましい。本発明は、このようなテーパ状の旋回室８を有するものも包含する。
【０１３７】
次に、本発明のマッサージノズル１の入水部６の変形例について説明する。  
図７２は、本発明のマッサージノズルの入水部６の変型例を表す模式断面図である。すなわち、同図は、図４などと同様に、マッサージノズルの入水部６を表す断面図である。  本具体例のマッサージノズルにおいては、一対の入水部６が設けられている。これら入水部６のそれぞれは、旋回室８の外側に環状に形成された導入路５から水を周側壁８Ｗの略接線方向に水を導入する。このように複数の入水部６を設けることにより、合計の入水面積が同一の場合でも、それぞれの入水部６の開口の中心位置を旋回流ＣＦの旋回軸から遠ざかる方向に寄せて配置することができる。このようにすると、効率的に旋回流ＣＦを形成することができる。また、周側壁８Ｗの周壁に複数の入水部６を均等に配置すると、旋回流ＣＦの旋回軸を旋回室８の中心軸と合致させることができる。よって、より周壁にそった旋回流ＣＦが形成されるとともに、旋回流ＣＦの分布がより均一となるため、可動子２０の「みそすり運動」やそれに類似する運動をより円滑に実現できる。
【０１３８】
以上、図１乃至図７２を参照しつつ本発明のマッサージノズルについて説明した。  
本発明においては、これらいずれのマッサージノズルの場合も、少なくとも一部を透明の材料により形成することができる。すなわち、ガイド部１０、旋回部２、フランジ９、散水板１２、可動子２０の少なくともいずれかを透明な材料により形成することができる。また、これらいずれかの要素の全体を透明の材料により形成するのではなく、その一部のみを透明の材料により形成してもよい。  
例えば、ガイド部１０の少なくとも一部を透明の材料で形成することにより、被処理部位２１０の吸引状態を目視により確実に確認できる。  
図７３は、ガイド部１０とその中に設けられる可動子２０を透明な材料により形成したマッサージノズルを表す模式図である。本具体例の場合、ガイド部１０及び可動子２０の中に吸引された被処理部位２１０の先端を外側から肉眼により観察できる。
【０１３９】
本発明者の試作検討の結果によれば、ガイド部１０を透明にすると、多くの場合に、被験者は、皮膚から受ける感触よりもはるかに大きな変位が得られていることを肉眼により確認して驚くことが多かった。つまり、本発明のマッサージノズルにより吸引マッサージを実施する場合、目視により観察される実際の変位量は、皮膚から受ける感覚よりもかなり大きな場合が多い。そして、肉眼によりこの変位を確認することによって、その効果への期待感や信頼感、安心感などが得られ、マッサージ効果やその他各種の生体効果を増進させることが可能となる。
【０１４０】
またさらに、可動子２０の動きも目視できるので、その運動状態を確認でき、その効果に対する期待感や信頼感、安心感などが得られ、マッサージ効果やその他各種の生体効果を増進させることが可能となる。
【０１４１】
また、この場合、被処理部位の変形状態を肉眼で確認できればよいので、ガイド部１０の全体が透明である必要はない。また、その材質についても、必ずしも無色透明である必要はなく、有色透明や半透明などであっても肉眼で内部を識別しうるものであればよい。一方、ガイド部１０とともに、フランジ９や散水板１２なども透明な材料により形成すると、前述した確認効果がさらに増す。
【０１４２】
また、旋回部２の一部（例えば、側面や底面）のみが透明な材料により形成されていてもよい。これにより、吐水口から旋回室内に引き込まれた皮膚の状態も目視が可能となり、また、横方向からの目視に加えて斜め方向や正面から皮膚の変形状態を目視できるため、上述した確認効果がさらに増す。
【０１４３】
次に、これらのマッサージノズルを用いた本発明のマッサージ装置について説明する。
【０１４４】
すなわち、図１乃至図７３に関して前述した本発明のマッサージノズルを、送水手段などと組み合わせることにより、吸引マッサージが実施可能なマッサージ装置が実現する。
【０１４５】
図７４及び図７５は、本発明のマッサージ装置の第１の実施例を、斜め正面側、及び斜め後方側からそれぞれ眺めた模式図である。  
また、図７６は、このマッサージ装置の要部構成を表すブロック図である。
【０１４６】
すなわち、本実施例のマッサージ装置をその外部から眺めると、筺体７０と、その正面から伸びる可撓性ホース３０と、その先端に設けられたマッサージノズル１と、を有する。筺体７０には、電源スイッチ７２、流量調節バルブ７４、取水口７６、持ち穴７８、電源コード８０などが適宜設けられている。筺体７０の内部には、送水手段５０が収容されている。送水手段５０は、例えば耐水処理が施された電動式の送水ポンプを内蔵し、取水口７６から取り入れた水（お湯）を可撓性ホース３０を介してマッサージノズル１に送出する。送水ポンプは、例えば、筺体７０の外部から交流または直流の電力の供給を受けるようにしてもよく、または、筺体７０の中に充電池などの電源を内蔵して電力を供給してもよい。いずれの場合にも、浴槽内の湯に沈めて安全に使用できるよう、所定の耐水処理が適宜実施されている。
【０１４７】
一方、マッサージノズル１は、図７４に例示した如く、シャワーヘッドに類似した外観を有する。同図に表したマッサージノズル１Ａは、その先端付近を「わしづかみ」にして用いるのに適した形状を有する。またマッサージノズル１Ｂは、通常のシャワーヘッドの如くその根本部分を保持して用いるのに適した形状を有する。  
これらマッサージノズル１（１Ａ、１Ｂ）は、図１乃至図７３に関して前述したように、可動子２０を内蔵し、衝突的な刺激や振動的な刺激による高いマッサージ効果が得られる。
【０１４８】
図７７は、本実施例のマッサージ装置の使用状態を説明するための模式図である。すなわち、使用者２００は、湯１１０をはった浴槽１００の中に本発明のマッサージ装置を設置し、筺体７０の上に腰掛けた状態でマッサージノズル１を操作することができる。この際に、図７などに関して前述したように、水流Ａ１により形成される水膜によって吐水口７、可動子２０あるいはガイド部１０の先端が覆われるため、人体の被処理部位２１０の表面は常に均質な水膜に保護される。このため、人体はマッサージノズル１から過度の摩擦抵抗を受けず、不快な刺激が無く、使用感に優れる。浴槽内の水（お湯）の中に浸した状態で用いると、吸引力を低下させる空気層（空洞）が旋回室８内に形成されることを抑制でき、より効果的である。また、浴槽１００内のお湯１１０を循環使用する点で、節水効果も高い。
【０１４９】
本実施例のマッサージ装置によれば、図１乃至図７３に関して前述したように、可動子が偏心した状態などで「みそすり運動」やそれに類似する運動をすることにより、吸引効果に加えて、さらに被処理部位を揺さぶるような振動を与えることができる。その結果として、さらに効果的なマッサージを可能とし、美容効果や血行促進などの各種の生体効果を促進させることができる。
【０１５０】
またさらに、図４５乃至図５３に関して前述した第６及び第７具体例のマッサージノズルの場合、開放状態においてシャワー状の集束した放出水流が形成される。従って、図７７の如く浴槽のお湯１１０の中で吸引マッサージを実施中に、不用意にマッサージノズル１を大気中に露出させた場合でも、吐水が周囲に飛散することはなく、不快感を解消して快適な吸引マッサージが可能となる。またさらに、マッサージノズル１を通常のシャワーヘッドとして用いることもでき、非常に便利である。
【０１５１】
また、本実施例の場合、マッサージノズル１が筺体７０に対して可撓性ホース３０により接続されているので、マッサージノズル１を使用者の身体のあらゆる部分の被処理部位に対して柔軟且つ自在にあてることができる。
【０１５２】
また、本実施例によれば、使用者２００は、コンパクトな筺体７０の上に腰掛けた状態でマッサージノズル１を操作できる。その結果、使用者２００は、常にリラックスした状態で吸引マッサージすることができる。またさらに、上半身、例えば脇の下から二の腕を吸引マッサージするような場合でも、マッサージノズル１を浴槽の湯１１０の中に浸した状態で操作することが可能である。しかも、トリートメントしづらいヒップや太ももの裏側などが、腰掛けていることにより浴槽底面から浮いた状態となることにより、トリートメントするスペースが生じ、下半身、例えば、ヒップや太ももの裏側まで、まんべんなく吸引マッサージすることができる。従って、これらの部位につきやすい「セルライト（老廃物と脂肪の塊）」を揉みほぐすことにより、老廃物の排出を促進し、セルライトを正常な脂肪に改善することができる。その結果として、人体の「引き締め効果」が得られる。
【０１５３】
図７８は、本発明のマッサージ装置の第２の実施例を表す模式図である。同図については、図１乃至図７３に関して前述したものと同様の要素には同一の符号を付して詳細な説明は省略する。  
本実施例のマッサージ装置も、筺体７０に収容されたマッサージ装置であり、浴室の浴槽１００の縁、すなわち「エプロン」などに設置して用いることができる。すなわち、筺体７０の内部にポンプなどの送水手段５０が内蔵され、取水配管１５２を介して浴槽内の水（お湯）をくみ上げ、切り替えバルブ１４０に送出する。切り替えバルブ１４０は、ノズル用配管１５４と気泡流排出用配管１５６とのいずれかに送水経路を切り替え可能とされている。ノズル用配管１５４に送出された水は、マッサージノズル１に送られ、吸引マッサージが実施可能となる。一方、気泡流排出用配管１５６に水が送出されると、吸気コック１７０を介して空気が混入され、気泡浴を実施することができる。
【０１５４】
このような構成とすることにより、送水手段５０の容量範囲において、気泡浴と吸引マッサージを同時に使用することも可能となり、快適性が増す。また、気泡流排出用配管１５６への送水と、マッサージノズル１への送水とを適宜切り替えることにより、気泡浴と吸引マッサージとを使用者の好みに応じて切り替えることができる。
【０１５５】
そして、図１乃至図７３に関して前述したように、可動子が偏心した状態などで「みそすり運動」やそれに類似する運動をすることにより、吸引効果に加えて、さらに被処理部位を揺さぶるような振動を与えることができる。その結果として、さらに効果的なマッサージを可能とし、美容効果や血行促進などの各種の生体効果を促進させることができる。
【０１５６】
図７９は、本発明のマッサージ装置の第３の実施例を表す模式図である。すなわち、同図は、浴槽１００と組み合わされたマッサージ装置を表す。  
本実施例の場合、浴槽１００の中にノズル収容部１２０が設けられ、図１乃至図７３に関して前述した本発明のマッサージノズル１は、このノズル収容部１２０に収容可能とされている。そして、送水手段５０は、水配管６０を介して浴槽１００の中の水（お湯）を取水し、可撓性ホース３０を介してマッサージノズル１に送出する。
【０１５７】
本実施例においては、図７９（ａ）に表したように、ノズル収容部１２０にマッサージノズル１を収納した状態で、使用者は、浴槽１００内に入浴しマッサージノズル１に被処理部位をあてがうことにより吸引押圧マッサージを受けることができる。この時、マッサージノズル１は、水没していてもよく、お湯よりも上に露出していてもよい。但し、マッサージノズル１を水没させたほうが、旋回室８に空気が取り込まれないので、より強い吸引マッサージを受けることができる。  
また一方、図７９（ｂ）に表したように、マッサージノズル１をノズル収容部１２０から取り外して用いることができる。本実施例においては、マッサージノズル１は、可撓性ホース３０により接続されているので、使用者は、マッサージノズル１を自由な位置に移動させ、被処理部位にあてて使用することができる。
【０１５８】
なお、本実施例においても、送水手段５０により浴槽１００内のお湯（水）をマッサージノズル１に供給する。つまり、浴槽１００内のお湯を循環使用する点で、節水効果が高い。そして、図１乃至図７３に関して前述したように、可動子が偏心した状態などで「みそすり運動」やそれに類似する運動をすることにより、吸引効果に加えて、さらに被処理部位を揺さぶるような振動を与えることができる。その結果として、さらに効果的なマッサージを可能とし、美容効果や血行促進などの各種の生体効果を促進させることができる。
【０１５９】
またさらに、図４５乃至図５３に関して前述した第６及び第７具体例のマッサージノズルの場合、開放状態においてシャワー状の集束した放出水流が形成される。従って、図７７の如く浴槽のお湯１１０の中で吸引マッサージを実施中に、不用意にマッサージノズル１を大気中に露出させた場合でも、吐水が周囲に飛散することはなく、不快感を解消して快適な吸引マッサージが可能となる。またさらに、マッサージノズル１を通常のシャワーヘッドとして用いることもでき、非常に便利である。
【０１６０】
図８０は、本発明のマッサージ装置の第４の実施例を表す模式図である。同図については、図１乃至図７９に関して前述したものと同様の要素には同一の符号を付して詳細な説明は省略する。  
本実施例においては、浴槽１００のお湯を循環させる送水手段の代わりに、お湯（または水）の供給部４００が設けられている。供給部４００としては、例えば、浴槽１００にお湯を供給するための給湯器を兼用することができる。または、供給部４００は、水道栓でもよい。  
本実施例の場合には、供給部４００を設けることより、浴槽１００内にお湯がない状態においても、本発明のマッサージノズル１を用いた吸引押圧マッサージを受けることができる。もちろん、浴槽１００内にお湯がはられた状態においても、吸引押圧マッサージを同様に実施することができる。  
そして、図８０（ｂ）に表したように、可撓性ホース３０を伸ばすことにより、マッサージノズル１を取り外して所望の被処理部位に向けて使用することができる。また、本実施例においては、図７９に関して前述したような送水手段５０や循環のための水配管６０を設ける必要がないため、マッサージ装置の構造を簡略化させ、低コストで提供することが可能である。そして、図１乃至図７３に関して前述したように、可動子が偏心した状態などで「みそすり運動」やそれに類似する運動をすることにより、吸引効果に加えて、さらに被処理部位を揺さぶるような振動を与えることができる。その結果として、さらに効果的なマッサージを可能とし、美容効果や血行促進などの各種の生体効果を促進させることができる。
【０１６１】
図８１は、本発明のマッサージ装置の第５の実施例を表す模式図である。同図についても、図１乃至図８０に関して前述したものと同様の要素には同一の符号を付して詳細な説明は省略する。  
本実施例においては、ノズル収容部１２０が浴槽１００の周縁の、いわゆる「エプロン」の部分に設けられている。吸引押圧マッサージを実施する場合には、マッサージノズル１を簡単に取り外し、使用者の人体の各所に容易にあてがうことができる。ノズル収容部１２０を浴槽１００のエプロンに設置すると、マッサージノズル１を取り外すことが極めて容易となる。また、浴槽１００内に入浴した状態で、マッサージノズル１が邪魔になる心配もない。  
そして、本発明においても、可撓性ホース３０によりノズル収容部１２０とマッサージノズル１とを接続することにより、マッサージノズル１を自在に取り扱うことができる。
【０１６２】
そして、図１乃至図７３に関して前述したように、可動子が偏心した状態などで「みそすり運動」やそれに類似する運動をすることにより、吸引効果に加えて、さらに被処理部位を揺さぶるような振動を与えることができる。その結果として、さらに効果的なマッサージを可能とし、美容効果や血行促進などの各種の生体効果を促進させることができる。
【０１６３】
また、本実施例においても、浴槽１００内のお湯を循環使用する点で、節水効果が高い。
【０１６４】
図８２は、本発明のマッサージ装置の第６の実施例を表す模式図である。同図についても、図１乃至図８１に関して前述したものと同様の要素には同一の符号を付して詳細な説明は省略する。  
本実施例においても、ノズル収容部１２０が浴槽１００の周縁の「エプロン」の部分に設けられている。このため、マッサージノズル１を取り外すことが極めて容易となる。また、浴槽１００内に入浴した状態で、マッサージノズル１が邪魔になる心配もない。
【０１６５】
また、本実施例においても、可撓性ホース３０によりノズル収容部１２０とマッサージノズル１とを接続することにより、マッサージノズル１を自在に取り扱うことができる。さらに、送水手段５０や循環のための水配管６０を設ける必要がないため、マッサージ装置の構造を簡略化させ、低コストで提供することが可能である。そして、図１乃至図７３に関して前述したように、可動子が偏心した状態などで「みそすり運動」やそれに類似する運動をすることにより、吸引効果に加えて、さらに被処理部位を揺さぶるような振動を与えることができる。その結果として、さらに効果的なマッサージを可能とし、美容効果や血行促進などの各種の生体効果を促進させることができる。
【０１６６】
またさらに、図４５乃至図５３に関して前述した第６及び第７具体例のマッサージノズルの場合、開放状態においてシャワー状の集束した放出水流が形成される。従って、図７７の如く浴槽のお湯１１０の中で吸引マッサージを実施中に、不用意にマッサージノズル１を大気中に露出させた場合でも、吐水が周囲に飛散することはなく、不快感を解消して快適な吸引マッサージが可能となる。またさらに、マッサージノズル１を通常のシャワーヘッドとして用いることもでき、非常に便利である。
【０１６７】
図８３は、本発明のマッサージ装置の第７の実施例を表す模式図である。同図についても、図１乃至図８２に関して前述したものと同様の要素には同一の符号を付して詳細な説明は省略する。  
本実施例においては、浴槽１００に気泡流噴出口１３０が設けられている。気泡流噴出口１３０は吸気開閉コック１７０に接続され、送水手段５０の送水作用によって、気泡流を浴槽内に噴出する。その結果、図８３（ａ）に表したように、気泡浴（ブローバス）を実施することができる。  
そして、本実施例においても、第５実施例と同様に、ノズル収容部１２０が浴槽１００の周縁の、いわゆる「エプロン」の部分に設けられている。使用者は、図８３（ｂ）に表したように、マッサージノズル１を簡単に取り外し、吸引マッサージを実施できる。このような構成とすることにより、送水手段５０の容量範囲において、気泡浴と吸引マッサージを同時に使用することも可能となり、快適性が増す。また、気泡流噴出口１３０への送水と、マッサージノズル１への送水とを適宜切り替えることにより、気泡浴と吸引マッサージとを使用者の好みに応じて切り替えることができる。
【０１６８】
そして、図１乃至図７３に関して前述したように、可動子が偏心した状態などで「みそすり運動」やそれに類似する運動をすることにより、吸引効果に加えて、さらに被処理部位を揺さぶるような振動を与えることができる。その結果として、さらに効果的なマッサージを可能とし、美容効果や血行促進などの各種の生体効果を促進させることができる。
【０１６９】
以上具体例を参照しつつ本発明の実施の形態について説明した。しかし、本発明は、これらの具体例に限定されるものではない。  
すなわち、本発明のマッサージノズル及びマッサージ装置を構成するいずれかの要素について当業者が設計変更を加えたものであっても、本発明の要旨を備えたものであれば、本発明の範囲に包含される。
【０１７０】
例えば、マッサージノズルの外形や、可動子の形状あるいは配置、吐水口とガイド部のサイズの比率、あるいは入水部の位置関係などについては、旋回流が得られ、その結果として負圧部が形成される範囲内であれば、本発明に包含される。
【図面の簡単な説明】
【０１７１】
【図１】本発明の実施の形態にかかるマッサージノズルの斜視図である。
【図２】マッサージノズル１の正面図である。
【図３】図２のＡ−Ａ線断面図である。
【図４】図３のＢ−Ｂ線端面図である。
【図５】可動子２０を表す斜視図である。
【図６】本発明の実施形態のマッサージノズル１に水を供給した状態を表す模式断面図である。
【図７】マッサージノズル１によってマッサージする状態を表す模式断面図である。
【図８】可動子２０が設けられた本発明のマッサージノズル１の動作を説明するための断面図である。
【図９】マッサージノズル１を被処理部位２１０にあてがった状態での可動子２０の動作を説明するための模式断面図である。
【図１０】マッサージノズル１を被処理部位２１０にあてがった状態での可動子２０の動作を説明するための模式断面図である。
【図１１】吸引マッサージ中の可動子の動作を表す模式図である。
【図１２】吸引マッサージ中の可動子の動作を表す模式図である。
【図１３】吸引マッサージ中の可動子の動作を表す模式図である。
【図１４】可動子２０の運動を説明するための模式断面図である。
【図１５】本発明の実施形態のマッサージノズル１に設けることができる可動子の他の具体例を表す模式斜視図である。
【図１６】本実施形態の第２の具体例としてのマッサージノズル１の斜視図である。
【図１７】マッサージノズル１の正面図である。
【図１８】図１７のＡ−Ａ線断面図である。
【図１９】本発明の具体例における可動子２０の斜視図である。
【図２０】本発明の具体例のマッサージノズル１における可動子２０の動作の一部を表す模式図である。
【図２１】本実施形態の第３の具体例としてのマッサージノズル１の斜視図である。
【図２２】マッサージノズル１の縦断面図である。
【図２３】マッサージノズル１の縦断面図である。
【図２４】可動子２０の斜視図である。
【図２５】本実施形態の第４の具体例としてのマッサージノズル１の斜視図である。
【図２６】マッサージノズル１の正面図である。
【図２７】図２６のＡ−Ａ断面図である。
【図２８】図２６のＡ−Ａ断面図である。
【図２９】可動子２０の斜視図である。
【図３０】本実施形態の第５の具体例としてのマッサージノズル１の斜視図である。
【図３１】マッサージノズル１の正面図である。
【図３２】図３１のＡ−Ａ断面図である。
【図３３】図３１のＡ−Ａ断面図である。
【図３４】可動子２０の斜視図である。
【図３５】可動子２０の運動を説明するための模式図である。
【図３６】ガイド部１０の中での可動子２０の位置の変化を表す模式図である。
【図３７】ガイド部１０の中での可動子２０の位置の変化を表す模式図である。
【図３８】ガイド部１０を有するマッサージノズル１に用いることができる可動子の第１の変形例を表す模式斜視図である。
【図３９】ガイド部１０を有するマッサージノズル１に用いることができる可動子の第２の変型例を表す模式斜視図である。
【図４０】ガイド部１０を有するマッサージノズル１に用いることができる可動子の第３の変型例を表す模式斜視図である。
【図４１】ガイド部１０を有するマッサージノズル１に用いることができる可動子の第４の変型例を表す模式斜視図である。
【図４２】ガイド部１０を有するマッサージノズル１に用いることができる可動子の第５の変型例を表す模式斜視図である。
【図４３】ガイド部１０を有するマッサージノズル１に用いることができる可動子の第６の変型例を表す模式斜視図である。
【図４４】（ａ）は、ガイド部１０を有するマッサージノズル１に用いることができる可動子の第７の変型例を表す模式斜視図であり、（ｂ）はその縦断面図である。
【図４５】本実施形態の第６の実施例としてのマッサージノズルの斜視図である。
【図４６】第６実施例のマッサージノズルの正面図である。
【図４７】図４６のＡ−Ａ線断面図である。
【図４８】図４６のＡ−Ａ線断面図である。
【図４９】可動子２０による飛散防止効果を表す写真である。
【図５０】本実施形態の第７の具体例としてのマッサージノズル１の斜視図である。
【図５１】マッサージノズル１の正面図である。
【図５２】図５１ののＡ−Ａ断面図である。
【図５３】可動子２０の斜視図である。
【図５４】本実施形態の第８の具体例としてのマッサージノズル１の斜視図である。
【図５５】マッサージノズル１の正面図である。
【図５６】図５５のＡ−Ａ断面図である。
【図５７】可動子２０を取り外した状態でのＡ−Ａ線断面図である。
【図５８】マッサージノズル１（サンプル１）の斜視図である。
【図５９】サンプル１のマッサージノズルの正面図である。
【図６０】サンプル１のマッサージノズルの上面図である。
【図６１】サンプル１のマッサージノズルの側面図である。
【図６２】（ａ）は図５９のＡ−Ａ線断面図であり、同図（ｂ）はその入水部６の形状を表す模式図である。
【図６３】サンプル２のマッサージノズルの斜視図である。
【図６４】サンプル２のマッサージノズルの正面図である。
【図６５】サンプル２のマッサージノズルの上面図である。
【図６６】サンプル２のマッサージノズルの側面図である。
【図６７】図６４のＡ−Ａ線断面図である。
【図６８】本発明者が実施した測定の方法を表す模式図である。
【図６９】各サンプルにおける圧力損失を表すグラフ図である。
【図７０】受圧板３００の小穴３００ａにおいて測定した吸引圧力を表すグラフ図である。
【図７１】入水部６の開口を扁平状に形成したマッサージノズル１を表す模式図である。
【図７２】本発明のマッサージノズルの入水部６の変型例を表す模式断面図である。
【図７３】ガイド部１０とその中に設けられる可動子２０を透明な材料により形成したマッサージノズルを表す模式図である。
【図７４】本発明のマッサージ装置の第１の実施例を斜め正面側から眺めた模式図である。
【図７５】本発明のマッサージ装置の第１の実施例を斜め後方側から眺めた模式図である。
【図７６】本発明のマッサージ装置の第１の実施例の要部構成を表すブロック図である。
【図７７】本発明のマッサージ装置の第１の実施例の使用状態を説明するための模式図である。
【図７８】本発明のマッサージ装置の第２の実施例を表す模式図である。
【図７９】本発明のマッサージ装置の第３の実施例を表す模式図である。
【図８０】本発明のマッサージ装置の第４の実施例を表す模式図である。
【図８１】本発明のマッサージ装置の第５の実施例を表す模式図である。
【図８２】本発明のマッサージ装置の第６の実施例を表す模式図である。
【図８３】本発明のマッサージ装置の第７の実施例を表す模式図である。
【符号の説明】
【０１７２】
１、１Ａ、１Ｂ マッサージノズル
２ 旋回部
４ 接続部
５ 導入路
６ 入水部
６Ａ 入水路
６Ｂ 入水口
７ 吐水口
８ 旋回室
８Ｎ 絞り部
８Ｐ 突起部
８Ｒ 底面
８Ｗ 周側壁
９ フランジ
１０ ガイド部
１０Ｗ 内周壁
１１ 突出部
１２ 散水板
１２ａ 散水孔
１２ｂ 開口
１３ 突出部
１５ 保持爪
１６ 爪部
２０ 可動子
２０ａ リング部
２０ｂ 開口
２０ｃ ストッパ
２０ｄ リブ
２０ｅ ストッパ
２０ｆ 側面開口
２０ｇ 支持軸
２０ｈ 突起
２０ｉ 羽根
２０ｊ 切り欠き部
２０ｋ 放水孔
２０ｍ 補助開口
２０ｚ 中心軸
３０ 可撓性ホース
５０ 送水手段
６０ 水配管
７０ 筺体
７２ 電源スイッチ
７４ 流量調節バルブ
７６ 取水口
７８ 持ち穴
８０ 電源コード
１００ 浴槽
１１０ 湯
１２０ ノズル収容部
１３０ 気泡流噴出口
１４０ 切り替えバルブ
１５２ 取水配管
１５４ ノズル用配管
１５６ 気泡流排出用配管
１７０ 吸気開閉コック
２００ 使用者
２１０ 被処理部位
３００ 受圧板
３００ａ 小穴
４００ 供給部
ＣＦ 旋回流
Ｚ 旋回軸
【図１】
2005245988.tif 000003
【図２】
2005245988.tif 000004
【図３】
2005245988.tif 000005
【図４】
2005245988.tif 000006
【図５】
2005245988.tif 000007
【図６】
2005245988.tif 000008
【図７】
2005245988.tif 000009
【図８】
2005245988.tif 000010
【図９】
2005245988.tif 000011
【図１０】
2005245988.tif 000012
【図１１】
2005245988.tif 000013
【図１２】
2005245988.tif 000014
【図１３】
2005245988.tif 000015
【図１４】
2005245988.tif 000016
【図１５】
2005245988.tif 000017
【図１６】
2005245988.tif 000018
【図１７】
2005245988.tif 000019
【図１８】
2005245988.tif 000020
【図１９】
2005245988.tif 000021
【図２０】
2005245988.tif 000022
【図２１】
2005245988.tif 000023
【図２２】
2005245988.tif 000024
【図２３】
2005245988.tif 000025
【図２４】
2005245988.tif 000026
【図２５】
2005245988.tif 000027
【図２６】
2005245988.tif 000028
【図２７】
2005245988.tif 000029
【図２８】
2005245988.tif 000030
【図２９】
2005245988.tif 000031
【図３０】
2005245988.tif 000032
【図３１】
2005245988.tif 000033
【図３２】
2005245988.tif 000034
【図３３】
2005245988.tif 000035
【図３４】
2005245988.tif 000036
【図３５】
2005245988.tif 000037
【図３６】
2005245988.tif 000038
【図３７】
2005245988.tif 000039
【図３８】
2005245988.tif 000040
【図３９】
2005245988.tif 000041
【図４０】
2005245988.tif 000042
【図４１】
2005245988.tif 000043
【図４２】
2005245988.tif 000044
【図４３】
2005245988.tif 000045
【図４４】
2005245988.tif 000046
【図４５】
2005245988.tif 000047
【図４６】
2005245988.tif 000048
【図４７】
2005245988.tif 000049
【図４８】
2005245988.tif 000050
【図５０】
2005245988.tif 000051
【図５１】
2005245988.tif 000052
【図５２】
2005245988.tif 000053
【図５３】
2005245988.tif 000054
【図５４】
2005245988.tif 000055
【図５５】
2005245988.tif 000056
【図５６】
2005245988.tif 000057
【図５７】
2005245988.tif 000058
【図５８】
2005245988.tif 000059
【図５９】
2005245988.tif 000060
【図６０】
2005245988.tif 000061
【図６１】
2005245988.tif 000062
【図６２】
2005245988.tif 000063
【図６３】
2005245988.tif 000064
【図６４】
2005245988.tif 000065
【図６５】
2005245988.tif 000066
【図６６】
2005245988.tif 000067
【図６７】
2005245988.tif 000068
【図６８】
2005245988.tif 000069
【図６９】
2005245988.tif 000070
【図７０】
2005245988.tif 000071
【図７１】
2005245988.tif 000072
【図７２】
2005245988.tif 000073
【図７３】
2005245988.tif 000074
【図７４】
2005245988.tif 000075
【図７５】
2005245988.tif 000076
【図７６】
2005245988.tif 000077
【図７７】
2005245988.tif 000078
【図７８】
2005245988.tif 000079
【図７９】
2005245988.tif 000080
【図８０】
2005245988.tif 000081
【図８１】
2005245988.tif 000082
【図８２】
2005245988.tif 000083
【図８３】
2005245988.tif 000084
【図４９】
2005245988.tif 000085